(57)【要約】  様々な実施形態は、概して、画像のレンダリングに使用するための差分フレームを生成及び圧縮することにより、コンピューティングデバイスに関連付けられるディスプレイ上の画像をレンダリングする場合に、電力の消費を減らすための技術を対象とする。複数のビデオフレームを圧縮するデバイスは、プロセッサコンポーネントと、圧縮された差分フレームとして一連のフレームのうちの現フレームを圧縮する、プロセッサコンポーネントによる実行のためのフレームバッファコンプレッサとを備え、圧縮された差分フレームは、現フレームと、一連のフレームのうちの先行する隣接フレームとの間の少なくとも１つの画素の画素カラーにおける差を示す差分フレームを含む。他の実施形態が説明され、かつ、特許請求の範囲に記載される。
2016531502.tif 000002
【特許請求の範囲】
【請求項１】
複数のビデオフレームを圧縮するデバイスであって、
プロセッサコンポーネントと、
前記プロセッサコンポーネントに通信可能に結合されるストレージと、
一連のフレームのうちの現フレームを圧縮された差分フレームとして圧縮して、前記圧縮された差分フレームを前記ストレージに格納する、前記プロセッサコンポーネントによる実行のためのフレームバッファコンプレッサと
を備え、
前記圧縮された差分フレームは、前記現フレームと、前記一連のフレームのうちの先行する隣接フレームとの間の少なくとも１つの画素の画素カラーにおける差を示す差分フレームを有する、デバイス。
【請求項２】
前記フレームバッファコンプレッサは、前記先行するフレームに先行する前フレームの欠如に基づいて、前記先行するフレームを有する圧縮されたフルフレームとして前記先行する隣接フレームを圧縮し、前記圧縮されたフルフレームを前記ストレージに格納する、請求項１に記載のデバイス。
【請求項３】
前記フレームバッファコンプレッサは、前記先行する隣接フレームと、前記一連のフレームのうち、前記先行する隣接フレームに先行するフレームとの間の少なくとも１つの画素の画素カラーにおける差を示す別の差分フレームを有する別の圧縮された差分フレームとして、前記先行する隣接フレームを圧縮する、請求項１に記載のデバイス。
【請求項４】
前記現フレーム及び前記先行する隣接フレームのうちの一方の複数の画素のカラー値を、前記現フレーム及び前記先行する隣接フレームのうちの他方の対応する複数の画素のカラー値から減算して、前記差分フレームを導出するフレーム減算器を備え、
前記コンプレッサは、前記差分フレームを圧縮して、前記圧縮された差分フレームを生成する、請求項１に記載のデバイス。
【請求項５】
動画データの複数のフレームを少なくとも部分的に解凍して、前記一連のフレームを生成する、前記プロセッサコンポーネントによる実行のための動画デコンプレッサを備える、請求項１に記載のデバイス。
【請求項６】
ディスプレイ上に前記現フレームを視覚的に提示する表示装置と、
前記ストレージから前記圧縮された差分フレームを取得し、前記圧縮された差分フレームを前記表示装置に伝達する、前記プロセッサコンポーネントによる実行のための取得コンポーネントと
を備える、請求項１に記載のデバイス。
【請求項７】
前記表示装置は、
別のプロセッサコンポーネントと、
前記圧縮された差分フレームを解凍し、前記現フレームを再構成する、前記別のプロセッサコンポーネントによる実行のためのディスプレイバッファデコンプレッサと
を備える、請求項６に記載のデバイス。
【請求項８】
前記差分フレームは、動きベクトルの指標を伴い、
前記表示装置は、動き補償を実行し、前記差分フレーム及び前記動きベクトルの前記指標から前記現フレームを再構成する、前記別のプロセッサコンポーネントによる実行のための動き補償コンポーネントを有する、請求項７に記載のデバイス。
【請求項９】
前記ディスプレイを備える、請求項６に記載のデバイス。
【請求項１０】
複数のビデオフレームを視覚的に提示するデバイスであって、
プロセッサコンポーネントと、
前記プロセッサコンポーネントに通信可能に結合されるストレージと、
一連の圧縮されたフレームのうちの圧縮された差分フレームを前記ストレージから取得し、前記圧縮された差分フレームを解凍して、現フレームと、先行する隣接フレームとの間の少なくとも１つの画素の画素カラーにおける差を示す差分フレームを生成し、前記現フレームの再構成を可能とする、前記プロセッサコンポーネントによる実行のためのディスプレイバッファデコンプレッサと、
ディスプレイ上に前記現フレームを視覚的に提示する、前記プロセッサコンポーネントによる実行のためのプレゼンテーションコンポーネントと
を備える、デバイス。
【請求項１１】
前記差分フレームは、動きベクトルの指標を伴っており、
前記表示装置は、動き補償を実行して、前記差分フレーム及び前記動きベクトルの前記指標から前記現フレームを再構成する、前記プロセッサコンポーネントによる実行のための動き補償コンポーネントを有する、請求項１０に記載のデバイス。
【請求項１２】
前記ディスプレイバッファデコンプレッサは、前記一連の圧縮されたフレームのうちの圧縮されたフルフレームを前記ストレージから取得し、前記圧縮されたフルフレームを解凍して、別のフレームを参照することなく、複数の画素のカラー値を示すフルフレームを生成し、
前記プレゼンテーションコンポーネントは、前記フルフレームに先行する前フレームの欠如に基づいて、前記ディスプレイ上に前記フルフレームを視覚的に提示する、請求項１０に記載のデバイス。
【請求項１３】
コンピューティングデバイスから前記一連の圧縮されたフレームを受信するインタフェースと、
前記一連の圧縮されたフレームを前記ストレージに格納する通信コンポーネントと
を備える、請求項１０に記載のデバイス。
【請求項１４】
前記ディスプレイを備える、請求項１０に記載のデバイス。
【請求項１５】
複数のビデオフレームを圧縮するためのコンピュータに実装される方法であって、
差分フレームを圧縮することにより一連のフレームのうちの現フレームを圧縮して、圧縮された差分フレームを生成する段階と、
前記現フレームと、前記一連のフレームのうちの先行する隣接フレームとのうちの一方の画素のカラー値を、前記現フレーム及び前記先行する隣接フレームのうちの他方の対応する画素のカラー値から減算して、前記差分フレームを導出する段階と、
前記圧縮された差分フレームを圧縮されたフレームバッファに格納する段階と
を備える、コンピュータに実装される方法。
【請求項１６】
前記先行するフレームに先行する前フレームの欠如に基づいて、前記先行するフレームを含む圧縮されたフルフレームとして前記先行する隣接フレームを圧縮する段階と、
前記圧縮されたフルフレームを前記圧縮されたフレームバッファに格納する段階と
を備える、請求項１５に記載のコンピュータに実装される方法。
【請求項１７】
別の差分フレームを圧縮することにより、前記先行する隣接フレームを圧縮する段階と、
前記先行する隣接フレームの画素のカラー値を、前記一連のフレームのうちの前記先行する隣接フレームに先行するフレームから減算して、前記別の差分フレームを導出する段階と
を備える、請求項１５に記載のコンピュータに実装される方法。
【請求項１８】
ハフマン符号化（Ｈｕｆｆｍａｎ  ｃｏｄｉｎｇ）を使用して、前記差分フレームを圧縮し、前記圧縮された差分フレームを生成する段階を備える、請求項１５に記載のコンピュータに実装される方法。
【請求項１９】
ＭＰＥＧ（Ｍｏｔｉｏｎ  Ｐｉｃｔｕｒｅ  Ｅｘｐｅｒｔｓ  Ｇｒｏｕｐ）のバージョンを使用して、動画データの複数のフレームを少なくとも部分的に解凍し、前記一連のフレームを生成する段階を備える、請求項１５に記載のコンピュータに実装される方法。
【請求項２０】
前記差分フレームは、動きベクトルの指標を伴い、
前記方法は、前記動きベクトルの前記指標を圧縮する段階を備える、請求項１９に記載のコンピュータに実装される方法。
【請求項２１】
前記圧縮されたフレームバッファから前記圧縮された差分フレームを取得する段階と、
表示装置がディスプレイ上に前記現フレームを視覚的に提示することを可能にするべく、前記圧縮された差分フレームを前記表示装置に伝達する段階と
を備える、請求項１５に記載のコンピュータに実装される方法。
【請求項２２】
前記表示装置で前記圧縮された差分フレームを解凍して、前記現フレームを再構成する段階を備える、請求項２１に記載のコンピュータに実装される方法。
【請求項２３】
前記差分フレームの解凍の後に、前記差分フレームの画素のカラー値を、最後に再構成されたフレームの画素のカラー値に追加して、前記現フレームを再構成する段階を備える、請求項２２に記載のコンピュータに実装される方法。
【請求項２４】
前記差分フレームは、動きベクトルの指標を伴い、
前記方法は、前記表示装置で動き補償を実行して、前記差分フレーム及びの前記動きベクトルの前記指標から前記現フレームを再構成する段階を備える、請求項２２に記載のコンピュータに実装される方法。
【請求項２５】
コンピューティングデバイスにより実行されるときに、前記コンピューティングデバイスに、請求項１５〜２４のいずれかに記載の方法を実行させるための命令を備える、少なくとも１つの機械可読記憶媒体。
【発明の詳細な説明】
【技術分野】
【０００１】
［関連出願の相互参照］
本明細書に名前が挙げられた発明者により、本明細書とともに同時に出願された、低電力ビデオ圧縮及び伝送のための技術（代理人整理番号Ｐ５５７７６ＰＣＴ）と題した出願に関連する主題に留意されたい。
【０００２】
本明細書で説明される実施形態は、概して、画像を圧縮及び視覚的に提示するときに電力消費を低減することに関する。
【背景技術】
【０００３】
コンピューティングデバイスのディスプレイ上の画像のラスタスキャンレンダリングは、典型的に、ディスプレイが更新されるように、１秒に３０から８５回ほど実行される。これは、画像の任意の部分が変更されたか否かに関わらず、毎秒３０から８５回ほど画像がストレージから完全に取得されたことを集計するデータをもたらす。画像のデータを取得するために、ストレージに対するそのような各反復的なアクセス、及び、ストレージから表示装置へデータを伝達する１又は複数のバスを通じた、そのデータの付随する反復的な伝送は、かなりの量の電力を消費する。そのような計算を実行するための電力について、ストレージが、バッテリに依存するポータブルコンピューティングデバイスにある場合、これは、顕著な問題になり得る。
【０００４】
そのような電力消費を減らすためのアプローチでは、ストレージ内の画像を圧縮して、ディスプレイの更新のたびに反復的に取得され及び伝達されるデータの全体的な量を減らす。これは、電力消費の低減をある程度実現しているが、画像全体を圧縮することはまた、ストレージへのアクセスも必要とし、かつ、かなりの量の電力がさらに消費されるというようなプロセッサ集約型である。
【０００５】
別のアプローチでは、ディスプレイ上に視覚的に提示される画像のコピーを格納するその独自のディスプレイバッファを有するディスプレイを提供することを必要とする。画像に対する変更がない場合の例において、ディスプレイは、少なくとも画像の変更が発生するまで、ストレージからの画像を反復的に取得及び伝達することが回避され得るように、そのディスプレイバッファから画像のその視覚的表現を更新するべく、シグナリングされ得る。このアプローチでは、画像に対する変更が頻繁でない期間中の電力消費を減らす。しかしながら、このアプローチは、画像に対して頻繁かつ顕著に進行中の変更がある動画の再生を画像が含む場合に使用できない。
【図面の簡単な説明】
【０００６】
【図１】ビデオプレゼンテーションシステムの実施形態を示す。
【０００７】
【図２】ビデオプレゼンテーションシステムの代替的な実施形態を示す。
【０００８】
【図３】動画を含む２つの隣接フレーム間の変化の度合いの例を示す。
【０００９】
【図４】動画を含まない２つの隣接フレーム間の変化の度合いの例を示す。
【００１０】
【図５】ビデオプレゼンテーションシステムの実施形態の一部を示す。
【図６】ビデオプレゼンテーションシステムの実施形態の一部を示す。
【００１１】
【図７】ビデオプレゼンテーションシステムの代替的な実施形態の一部を示す。
【図８】ビデオプレゼンテーションシステムの代替的な実施形態の一部を示す。
【００１２】
【図９】実施形態に係る論理フローを示す。
【図１０】実施形態に係る論理フローを示す。
【図１１】実施形態に係る論理フローを示す。
【図１２】実施形態に係る論理フローを示す。
【００１３】
【図１３】実施形態に係る処理アーキテクチャを示す。
【００１４】
【図１４】グラフィックス処理システムの別の代替的な実施形態を示す。
【００１５】
【図１５】デバイスの実施形態を示す。
【発明を実施するための形態】
【００１６】
様々な実施形態は、概して、画像のレンダリングで使用するための差分フレームを生成及び圧縮することにより、コンピューティングデバイスに関連付けられるディスプレイ上に画像をレンダリングする場合に、電力の消費を減らすための技術を対象とする。  差分フレームは、画像の現フレームと先行する隣接フレームとの間の画素のカラー値における差を表す。したがって、現フレームは、先行する隣接フレームからのカラー値におけるその画素ごとの差の観点で説明され、現フレームそれ自体よりもむしろ、差分フレームの形式における差の説明が圧縮及び格納される。
【００１７】
表示装置のディスプレイ上に視覚的に提示される画像は、ディスプレイ上での画像の反復的なラスタスキャンレンダリングで更新されなければならない。コンピューティングデバイスの通常オペレーション中に、ディスプレイ上の画像の反復的な更新は、画像を取得するべく、コンピューティングデバイスのストレージへの反復的なアクセスを必要とし、かつ、表示装置に画像を伝達するべく、コンピューティングデバイスの１又は複数のバスの使用を繰り返す。もし、別のフレームを参照することなくフレームの画素値を説明するのに通常必要とされるものより小さいデータで別の隣接フレームの画素のカラー値から一つのフレームの画素のカラー値における差を説明することが通常可能であれば、更新のたびにストレージから反復的に取得され、かつ、表示装置へ伝達されるデータ量が差分フレームの使用を通じて実質的に低減され、それによって電力を節約することが想定される。差分フレームの生成及び使用を通じて既に達成されたデータサイズにおけるこの低減はまた、電力のかなりの量を消費するプロセッサ集約型の計算を必要としない、積極的ではないタイプの圧縮の利用を可能にする。
【００１８】
しかしながら、表示装置へのフレームの提供は、差分フレームの提供で開始されない。差分フレームの基準として機能する前フレームが存在しないという結果をもたらすイベントの後に、ストレージから取得され、かつ、表示装置に提供される最初のフレームは、任意の他のフレームを参照することなく画像を説明するフルフレームである。基準として用いられる前フレームが存在しないことをもたらすイベントは、コンピューティングデバイスの電源投入、画像が表示されていなかった低電力状態から通常のオペレーティング状態へのコンピューティングデバイスの復帰、又は、コンピューティングデバイスのリセットを含む。表示装置に画像を表現するそのようなフルフレームの提供は、基準とする最初の差分フレームについて、表示装置が画像の画素の初期状態を有するのに必要である。
【００１９】
少なくとも圧縮された差分フレームが格納され、反復的に取得されるストレージの一部は、他の目的でも採用されるより大きなストレージ内で定義される圧縮されたフレームバッファであってよい。代替的に、特定のストレージデバイスで構成され得るストレージの特定部分は、圧縮された差分フレームが格納され、かつ、それらが反復的に取得される、圧縮されたフレームバッファ（例えば、マルチポート動的ランダムアクセスメモリデバイス）として機能することを選択され得る。
【００２０】
いくつかの実施形態において、表示装置は、コンピューティングデバイスに物理的に組み込まれてよい。そのような実施形態において、表示装置の一部は、コンピューティングデバイスのプロセッサコンポーネントによりアドレス可能であってよい（例えば、表示装置のストレージのストレージ位置が十分にアドレス可能であってよい）。他の実施形態において、表示装置は、コンピューティングデバイスから物理的に分離されていてもよいが、そこからフルフレーム及び差分フレームの受信を可能にするべく、コンピューティングデバイスに結合される。
【００２１】
表示装置がコンピューティングデバイスに統合されるか、又は、単にそれに結合されるかに関わらず、表示装置は、差分フレームを受信し、視覚的に提示されるべく現フレームを再構成する。再構成は、最新の差分フレームに表現される画素値と、再構成及び視覚的に提示された最後のフレームの画素値との差を単純に合計することにより実行されてよい。表示装置は、再構成され及び視覚的に提示される最後のフレームをその独自のストレージに維持する。隣接フレーム間で差がない場合の例に応じて（又は、隣接フレーム間の差が選択された差の閾値より小さい場合に応じて）、コンピューティングデバイスは、その独自のストレージから視覚的に提示される画像を自律的に更新することを表示装置へ知らせてよい。表示装置がそうするように、コンピューティングデバイスは、反復的な読み出しを停止し、少なくとも画像の変更が後にあるまで差分フレームを伝達する。
【００２２】
表示装置のディスプレイ上に視覚的に提示される画像は、動画を含んでよく、又は、含まなくてもよい。動画が含まれるいくつかの実施形態において、そのような動画は、別のコンピューティングデバイスから受信されてよく、及び／又は圧縮された形式でコンピューティングデバイス内に格納されてよい。動画は、スイス、ジュネーブの国際標準化機構により公表されたＭＰＥＧ（Ｍｏｔｉｏｎ  Ｐｉｃｔｕｒｅ  Ｅｘｐｅｒｔｓ  Ｇｒｏｕｐ）仕様書のバージョンを含むがこれに限定されない、多種多様なタイプの圧縮のいずれかを用いて圧縮されていてもよい。動画が圧縮されている場合、コンピューティングデバイスは、画像に含まれ得る動画の圧縮されていないフレームを生成するべく、適切なデコーダを用いて、それを解凍する。フルフレーム及び差分フレームは、そうして圧縮されていないフレームから生成される。
【００２３】
動画がＭＰＥＧのバージョンに従って圧縮されている他の実施形態において、コンピューティングデバイスは、差分フレームと、画素のブロックの画素のカラー値の位置の変化を表現するときに採用される付随する動きベクトルの指標とを導出するポイントまで動画を解凍してよい。コンピューティングデバイスは、そうして、これらの差分フレームを圧縮し、また、動きベクトルの指標を圧縮してもよい。取得され及び表示装置に伝達されるときに、動きベクトルの指標は、差分フレームと共に伝達される。表示装置は、そうして、動画の解凍を完了するべく、動きベクトルの指標と差分フレームとを組み合わせて、ディスプレイ上の視覚的表現のために、そのフレームを再構成する。
【００２４】
本明細書で用いられる表記及び用語を全体的に参照すると、以下の発明の詳細な説明の一部は、コンピュータ又は複数のコンピュータのネットワーク上で実行されるプログラム手順の観点で提示され得る。これらの手順的な説明及び表現は、それらの動作の本質を最も効率的に他の当業者に伝達するために当業者により用いられる。手順はここで、概して、所望の結果をもたらすオペレーションの首尾一貫したシーケンスであると考えられる。これらのオペレーションは、物理量の物理的な操作を必要とするものである。大抵、必要ではないが、これらの量は、格納され、転送され、組み合わされ、比較され、さもなければ操作されることが可能な電気、磁気又は光信号の形成をとる。これは、主に共通利用の理由のために、これらの信号をビット、値、要素、記号、文字用語、数等と称するときに好都合であることを示す。しかしながら、これら及び同様の用語の全てが、適切な物理量に関連するものであり、かつ、単にこれらの量に適用される便宜的なラベルに過ぎないことに留意すべきである。
【００２５】
さらに、これらの操作は、人間のオペレータにより実行される知的動作と通常関連付けられる、加算又は比較のような用語でしばしば言及される。しかしながら、１つ又は複数の実施形態の一部を形成する本明細書で説明されるオペレーションのいずれかにおいて、多くの場合、人間のオペレータのそのような機能は必要とされない、又は望まれない。むしろ、これらのオペレーションは、機械動作である。様々な実施形態のオペレーションを実行するために有用な機械は、本明細書の教示に従って書き込まれた範囲内で格納されるコンピュータプログラムにより選択的に達成又は構成されるような汎用デジタルコンピュータを含み、及び／又は必要な目的のために特別に構築された装置を含む。様々な実施形態はまた、これらのオペレーションを実行するための装置又はシステムにも関連する。これらの装置は、必要な目的のために特別に構築されてよく、又は、汎用コンピュータを含んでよい。これらの様々な機械のために必要な構造は、以下の説明から明らかになるであろう。
【００２６】
ここで図面を参照するにあたり、同様の参照番号は、全体にわたって同様の要素に言及するために用いられる。以下の説明では、説明の目的のために、多数の具体的な詳細がその全体の理解を提供するべく明記される。しかしながら、新規な実施形態がこれらの具体的な詳細なしに実施し得ることは明らかであり得る。他の例では、周知の構造及びデバイスが、その説明を容易にするべく、ブロック図の形式で示される。特許請求の範囲に記載の範囲内の全ての修正、均等物及び代替手段をカバーする意図がある。
【００２７】
図１は、ソースデバイス１００、及び、表示装置６００を組み込むコンピューティングデバイス３００のうちの１又は複数を組み込むビデオプレゼンテーションシステム１０００の実施形態のブロック図を示す。ビデオプレゼンテーションシステム１０００において、変化する画像８８０のフレームは、コンピューティングデバイス３００により圧縮され、それから、ディスプレイ６８０上に視覚的に提示されるべく、表示装置６００へ反復的に提供される。ソースデバイス１００及びコンピューティングデバイス３００の各々は、デスクトップコンピュータシステム、データエントリ端子、ラップトップコンピュータ、ネットブックコンピュータ、タブレットコンピュータ、ハンドヘルドパーソナルデータアシスタント、スマートフォン、デジタルカメラ、衣類に組み込まれる装着式のコンピューティングデバイス、車両（例えば、車、自転車、車椅子等）に統合されるコンピューティングデバイス、サーバ、サーバのクラスタ、サーバファーム等を限定されることなく含む、様々なタイプのコンピューティングデバイスのいずれかであってよい。
【００２８】
図示されるように、これらのコンピューティングデバイス１００及び３００は、ネットワーク９９９を通じて視覚イメージ及び／又は関連データを表す圧縮されたフレームを伝達する信号を交換し得る。しかしながら、これらのコンピューティングデバイスの一方又は両方は、互いに及び／又はさらに他のコンピューティングデバイス（不図示）とネットワーク９９９を介して、視覚イメージとは全く無関係な他のデータを交換してよい。様々な実施形態において、ネットワークは、おそらく単一の建物又は他の比較的限定された領域内に広範に及ぶことが制限される単一のネットワーク、おそらくかなりの距離を拡張する接続されたネットワークの組み合わせであってよく、及び／又は、インターネットを含んでよい。これにより、ネットワーク９９９は、電気的並びに／若しくは光学的に導電性のあるケーブル配線を採用する有線技術及び赤外線、無線周波数又は他の形式の無線伝送を採用する無線技術を限定することなく含む、信号が交換され得る様々な通信技術（又はその組み合わせ）のいずれかに基づいてよい。
【００２９】
様々な実施形態において、ソースデバイス１００（存在する場合）は、動画データ１３０のフレームをコンピューティングデバイス３００に提供するべく、ソースデバイス１００をコンピューティングデバイス３００に結合するインタフェース１９０を組み込む。これらのフレームは、ＭＰＥＧのバージョンを含むがこれに限定されない、当業者によく知られている様々な圧縮技術のいずれかを採用する圧縮された形式でコンピューティングデバイス３００に提供されてよい。
【００３０】
様々な実施形態において、コンピューティングデバイス３００は、プロセッサコンポーネント３５０、ストレージ３６０、フレーム減算器３７０、表示装置６００、及び、ネットワーク９９９にコンピューティングデバイス３００を結合するインタフェース３９０のうちの１又は複数を組み込む。ストレージ３６０は、動画データ１３０、フレームバッファデータ３３０、圧縮されたバッファデータ４３０及び制御ルーチン３４０のうちの１又は複数を格納する。
【００３１】
制御ルーチン３４０は、様々な機能を実行するロジックを実装するコンピューティングデバイス３００のメインプロセッサコンポーネントとしての役割を担うプロセッサコンポーネント３５０上で動作可能な命令列を組み込む。制御ルーチン３４０を実行するときに、プロセッサコンポーネント３５０は、フレームバッファデータ３３０の隣接フレームの対応する画素のカラー値を減算して、差分フレームを導出する。より具体的には、フレームバッファデータ３３０の現フレームの各画素は、フレームバッファデータ３３０の先行する隣接フレーム（現フレームにすぐに先行するフレーム）の各々対応する画素のカラー値から減算され、逆もまた然り、これら２つのフレーム間の画素のカラー値における差の差分フレームを導出する。これがフレームバッファデータ３３０の（継時的に隣接する）隣接フレームの各組について行われるので、ある減算における現フレームは、次の減算のおける先行する隣接フレームになる。いくつかの実施形態において、そのような減算は、当該減算の迅速な性能を発揮するデジタル回路と共に実装されるフレーム減算器３７０により実行され得る。他の実施形態において、当該減算は、プロセッサコンポーネント３５０により実行される制御ルーチン３４０により引き起こされ得る。
【００３２】
減算が各差分フレームを導出するために実行される正確な手法に関わらず、プロセッサコンポーネント３５０は、それから、圧縮されたバッファデータ４３０の一部として圧縮された差分フレームを格納する前に、各差分フレームを圧縮する。いくつかの実施形態において、プロセッサコンポーネント３５０は、差分フレームを圧縮するハフマン符号化（Ｈｕｆｆｍａｎ  ｃｏｄｉｎｇ）を採用する。しかしながら、他のタイプの圧縮が当業者に思い当たるかもしれない。ディスプレイ６８０上に視覚的に提示される画像８８０を更新することのサポートでは、プロセッサコンポーネント３５０が、圧縮されたバッファデータ４３０の圧縮された差分フレームを反復的に取得し、これらの圧縮された差分フレームを表示装置６００に提供する。
【００３３】
様々な実施形態において、表示装置６００は、プロセッサコンポーネント６５０、ストレージ６６０及びディスプレイ６８０のうちの１又は複数を組み込む。ストレージ６６０は、コンピューティングデバイス３００、圧縮されていないバッファデータ６３０及び制御ルーチン６４０から受信されたときに、圧縮されたバッファデータ４３０のフレームのうちの１又は複数を格納する。
【００３４】
制御ルーチン６４０は、様々な機能を実行するロジックを実装する表示装置６００のメインプロセッサコンポーネントとしての役割を担うプロセッサコンポーネント６５０上で動作可能な命令列を組み込む。制御ルーチン６４０を実行するときに、プロセッサコンポーネント６５０は、ストレージ６６０に格納された圧縮されたバッファデータ４３０の圧縮された差分フレームを解凍し、圧縮されていないバッファデータ６３０の一部として結果として生じる圧縮されていない差分フレームを格納する。プロセッサコンポーネント６５０は、次に、直前に受信した圧縮されていない差分フレームと、再構成され、かつ、視覚的に提示された最後のフレームとを合計して、ディスプレイ６８０上に視覚的に提示される最新のフレームを再構成する。
【００３５】
差分フレームが導出されてないフレームバッファデータ３３０の圧縮されていないフレームは、プロセッサコンポーネント３３０により生成されるイメージを表してよい。そのようなフレームは、メニュー、データの視覚的な表現、ポインタの現在位置の視覚的な表現等を含み得るユーザインタフェースの視覚的部分を含み得る。そのようなユーザインタフェースの視覚的部分は、コンピューティングデバイス３００のオペレーティングシステム及び／又はプロセッサコンポーネント３５０により実行されるアプリケーションルーチン（不図示）に関連付けられてよい。
【００３６】
代替的又は追加的に、フレームバッファデータ３３０の圧縮されていないフレームは、動画データ１３０からの動画フレームを含み得る。動画データ１３０のフレームは、ソースデバイス１００のような別のコンピューティングデバイスからコンピューティングデバイス３００により受信されてよく、又は、コンピューティングデバイス３００自身により生成されてよい。動画データ１３０のフレームがコンピューティングデバイス３００内で受信及び／又は生成されるか否かに関わらず、それらは圧縮された形式でストレージ３６０に格納されてよい。もしそうならば、これらのフレームは、ＭＰＥＧのバージョンを含むがこれに限定されない、様々なタイプの圧縮のいずれかを採用して圧縮されていたかもしれない。  プロセッサコンポーネント３５０は、適切なタイプの解凍を用いて動画データ１３０のフレームを解凍し、ディスプレイ６８０上の視覚的表現のためのフレームバッファデータ３３０の一部として結果として生じる解凍されたフレームを格納してよい。そうして、単に動画を含まないフレームバッファデータ３３０において圧縮されていないフレームだけで行われることになるように、プロセッサコンポーネント３５０は、取得及び表示装置６００への伝達に備えて、圧縮されたバッファデータ４３０の一部として、ストレージのためのビデオデータ１３０の解凍されたフレームを再圧縮する。前述のように、ハフマン符号化は、フレームバッファデータ３３０に格納されたフレームを圧縮する場合に利用され得る。これにより、いくつかの実施形態において、ＭＰＥＧのバージョンを用いて圧縮されていたかもしれない動画データ１３０のフレームは、まず、フレームバッファデータ３３０内のストレージ用に解凍され、次に、ディスプレイ６８０の更新と同期して、反復的な取得及び表示装置６００への伝達のための圧縮されたバッファデータ４３０内のストレージ用にハフマン符号化を再び用いて圧縮され得る。
【００３７】
ＭＰＥＧのバージョン又は同様の圧縮技術を用いて、動画データ１３０のフレームが圧縮される代替的な実施形態において、プロセッサコンポーネント３５０は、フレームバッファデータ３３０内のストレージ用にそれらを部分的にのみ解凍してよい。より具体的には、プロセッサコンポーネント３５０は、差分フレームと、隣接フレーム間で１又は複数の画素のカラー値のブロックが変化した方向及び距離を表現する付随する動きベクトルの指標とを導出するために必要とされる範囲のみに動画データ１３０のフレームを解凍してよい。これらの差分フレーム及びそれらの関連する動きベクトルの指標は、次に、プロセッサコンポーネント３５０によりフレームバッファデータ３３０に格納され得る。プロセッサコンポーネント３５０は、次に、これらの差分フレームを再圧縮し、それらを、圧縮されたバッファデータ４３０の一部としてストレージ３６０にそれらの圧縮された形式で格納する。さらに、いくつかの実施形態において、ハフマン符号化は、これらの差分フレームを圧縮するときに利用されてよい。プロセッサコンポーネント３５０は、圧縮されたバッファデータ４３０の一部として動きベクトルの指標をストレージ３６０に格納する前に、関連する動きベクトルの指標を圧縮してもよく、又は、しなくてもよい。
【００３８】
これらの代替的な実施形態において、ディスプレイ６８０上の画像８８０の更新のサポートは、圧縮された差分フレーム及び関連する動きベクトルの指標の両方をストレージ３３０の圧縮されたバッファデータ４３０から反復的に取得し、それらを表示装置６００に伝達するプロセッサコンポーネント３５０を伴う。表示装置６００のプロセッサコンポーネント６５０は、これらの圧縮された差分フレーム及び動きベクトルの指標を受信し、それらを圧縮されたバッファデータ４３０の一部としてストレージ６６０内に格納する。プロセッサコンポーネント６５０は、次に、適切な解凍技術（例えば、ハフマン符号化を用いた解凍）を利用して、これらの差分フレームを解凍し、それらを圧縮されていないバッファデータ６３０の一部として格納する。動きベクトルの指標がまた、圧縮もされた場合、プロセッサコンポーネント６５０はまた、これらの指標も解凍し、かつ、それらを圧縮されていないバッファデータ６３０の一部としても格納する。プロセッサコンポーネント６５０は、次に、それらの関連する動きベクトルでそれらを組み合わせることにより差分フレームのＭＰＥＧベースの解凍を完了して、ディスプレイ６８０上に視覚的に提示されるべき次のフレームを含む、完全に解凍された形式で動画データ１３０のフレームを再構成する。
【００３９】
要するに、これらの様々な実施形態において、圧縮されたバッファデータ４３０が維持されるストレージ３６０の一部は、圧縮されたフレームバッファとして利用される。ストレージ３６０のこの部分は、圧縮されたフレームバッファであるべきアドレス範囲の仕様により単純に定義されるストレージの一部であってよい。又は、ストレージ３６０のこの部分は、圧縮されたフレームバッファを含むフレームバッファとして機能するために実質的に専用のストレージコンポーネントで構成されてよい。そのような部分はまた、圧縮されたバッファデータ４３０に加えて、圧縮されていないフレームバッファデータ３３０を含むように構成されてよいことに留意すべきある。
【００４０】
前述のように、ディスプレイ６８０上に視覚的に提示される画像８８０が、コンピューティングデバイス３００により生成されるイメージ（例えば、ユーザインタフェースの視覚的部分）、又は、動画イメージ（例えば、カメラでキャプチャされた動画）を含んでよいことが想定される。当業者によく知られるように、動画イメージは、ユーザインタフェースの視覚的部分に特有のコンピュータで生成されたイメージよりも、隣接フレーム間の画素のカラー値における変化の度合いがより高いものを含む傾向にある。図３は、動画が含まれる画像８８０の一対の隣接フレーム例の間の変化の度合いを示す。一方の隣接フレームから他方への移行で見られるように、動画カメラによりキャプチャされた動画８８１がパンニングされており、一連の木々及び周囲の地形は、位置がシフトされている。また見られるように、一連の木々及び周囲の地形の視覚的表現は、パンニングに起因するこれらのオブジェクトのシフトが非常に多くの画素の状態を変化させるように、視覚イメージ８８０の画素のかなりの数を占有している。結果として、それらの間の差の度合いが高い可能性がある。
【００４１】
図４は、動画が含まれていない画像８８０の他の一対の隣接フレーム例の間の変化の度合いを示す。図３の例とは対照的に、図４の例における画像８８０は、ｅメールテキストを編集するアプリケーション例のユーザインタフェースの視覚的部分で実質的に占有されている。一方の隣接フレームから他方への移行で見られるように、図示されたｅメールにおけるテキストの行のタイピングは、この例における単語「ｌｅｓｓｏｎｓ」の入力の一部として、文字「ｌｅｓｓ」に文字「ｏｎ」を追加する範囲までしか進まない。また見られように、一方の隣接フレームから他方へのこの進行における２つのテキスト文字のこの追加は、視覚的に提示されるもののうち、残りの全てが変更されないままなので、比較的少ない数の画素にしか影響を与えない。もし、ディスプレイの更新レートが典型的には３０から８５フレーム毎秒であれば、どのくらい迅速にテキスト又は他の入力がコンピューティングデバイス３００に提供され得るかということに対する生体力学的な限界があるので、ユーザインタフェースの視覚的部分が視覚的に提示される多くの時間中、比較的低い変化の度合いのみが隣接フレーム間で予想されることが想定される。更に言えば、コンピューティングデバイス３００のオペレータが、テキストを読むか、さもなければ、ユーザインタフェースの視覚的部分を見るために入力の提供を停止している場合、かなりの数の連続的な隣接フレームには、それらの間で全く差がない可能性があるものとして想定される。これにより、圧縮されたバッファデータ４３０としてストレージ用の差分フレームの使用及び圧縮が、反復的に取得され、かつ、表示装置に提供されるデータ量の相当な削減を実現するものとして想定されるが、差分フレームが動画を含む場合、データ量が多くなる可能性が高い。
【００４２】
図１に戻り、前述のように、前フレームを参照することなく画像８８０の状態を表現するフルフレームが表示装置６００に提供されるべき場合があり得る。さらに、これは、コンピューティングデバイス３００の電源投入、コンピューティングデバイス３００のリセット、又は、参照するために、差分フレームにとって利用可能な前フレームが存在しないという結果をもたらす他の条件のようなイベントの後に必要になり得る。さらに、いくつかの実施形態において、画素のかなりの割合の画素のカラー値が現フレーム及び先行する隣接フレームの間でかなりの程度変化するように画像８８０に大幅な変化があった差分フレームの代わりにフルフレームを提供することが望ましいと考えられ得る。いくつかの実施形態において、導出された各差分フレームは、差の度合いを判断するべく分析されてよく、差の度合いが閾値を超える場合、フルフレームは、圧縮され、差分フレームの代わり表示装置６００へ提供される。差分フレームに対するフルフレームの圧縮及びストレージについての理由に関わらず、プロセッサコンポーネント３５０は、同じタイプの圧縮（例えばハフマン符号化）を用いて双方を圧縮してよい。さらに、プロセッサコンポーネント３５０は、取得され、かつ、表示装置６００へ伝達される圧縮されたバッファデータ４３０に、フルフレーム及び差分フレームの両方を圧縮された形式で格納してよい。フルフレーム又は差分フレームのいずれかを表示装置６００へ伝達するときに、プロセッサコンポーネント３５０は、どのタイプのフレームが伝達されているかを示す指標をさらに提供してよい。いくつかの実施形態において、そのような指標は、伝達されるフレーム自体に組み込まれてよい。
【００４３】
図２は、コンピューティングデバイス３００の代替的な実施形態を含むビデオプレゼンテーションシステム１０００の代替的な実施形態のブロック図を示す。図２のビデオプレゼンテーションシステム１０００の代替的な実施形態は、多くの点で図１の実施形態に類似しており、それゆえに、同様の参照番号は、全体にわたって同様の要素に言及するために用いられる。しかしながら、図１のコンピューティングデバイス３００とは異なり、図２のコンピューティングデバイス３００は、表示装置６００を組み込んでいない。また、図１の表示装置６００とは異なり、図２の表示装置６００は、ネットワーク９９９を介して及び／又は異なるリンクを介してコンピューティングデバイス３００に表示装置６００を結合するインタフェース６９０を組み込んでよい。これにより、図２のビデオプレゼンテーションシステム１０００の代替的な実施形態において、プロセッサコンポーネント３５０は、ストレージ３６０に格納された圧縮されたフレームバッファ４３０から取得された、圧縮されたフレームを表示装置６００へネットワークを介して送信し得る。
【００４４】
様々な実施形態において、プロセッサコンポーネント３５０及び６５０の各々は、多種多様な商業的に利用可能なプロセッサのいずれかを含んでよい。さらに、これらのプロセッサコンポーネントのうちの１又は複数は、複数のプロセッサ、マルチスレッドプロセッサ、（複数のコアが同じ又は別個のダイに共存する）マルチコアプロセッサ、及び／又は、複数の物理的に分離するプロセッサが何らかの方法でリンク付けされることによるいくつかの他の様々なマルチプロセッサアーキテクチャを含んでよい。
【００４５】
プロセッサコンポーネント３５０及び６５０の各々は、様々なタイププロセッサのいずれかを含んでよく、表示装置６００のプロセッサコンポーネント６５０が、グラフィックス及び／又はビデオに関連するタスクを実行するべく、幾分か特化され及び／又は最適化され得ることが想定される。より広義には、表示装置６００が、プロセッサコンポーネント３５０及びそれに密接に関連するコンポーネントから分離し、かつ、プロセッサコンポーネント３５０及びそれに密接に関連するコンポーネントとは異なるコンポーネントを用いて、グラフィックスレンダリング、ビデオ圧縮、画像リスケーリング等に関連するタスクの実行を可能にするコンピューティングデバイス３００のグラフィックスサブシステムを具現化することが想定される。
【００４６】
様々な実施形態において、ストレージ３６０及び６６０の各々は、電力の中断されない提供を必要とする揮発性技術をおそらく含む、及び、リムーバブルであってもよく、そうでなくてもよい機械可読記憶媒体の使用を伴う技術をおそらく含む多種多様な情報ストレージ技術のいずれかに基づいてよい。これにより、これらのストレージの各々は、リードオンリメモリ（ＲＯＭ）、ランダムアクセスメモリ（ＲＡＭ）、ダイナミックＲＡＭ（ＤＲＡＭ）、ダブルデータレートＤＲＡＭ（ＤＤＲ−ＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的に消去可能なプログラマブルＲＯＭ（ＥＥＰＲＯＭ）、フラッシュメモリ、ポリマーメモリ（例えば、強誘電体ポリマーメモリ）、オボニックメモリ、相変化若しくは強誘電体メモリ、シリコン酸化物窒化物酸化物シリコン（ＳＯＮＯＳ）メモリ、磁気若しくは光カード、１又は複数の個別強磁性ディスクドライブ、又は、１又は複数のアレイで構成される複数のストレージデバイス（例えば、Ｒｅｄｕｎｄａｎｔ  Ａｒｒａｙ  ｏｆ  Ｉｎｄｅｐｅｎｄｅｎｔ  Ｄｉｓｋｓ ａｒｒａｙ又はＲＡＩＤアレイで構成される複数の強磁性ディスクドライブ）を限定することなく含む、ストレージデバイスの多種多様なタイプ（又はタイプの組み合わせ）のいずれかを含み得る。これらのストレージの各々が単一ブロックとして示されるが、これらのうちの１又は複数は、異なるストレージ技術に基づき得る複数のストレージデバイスを含み得ることに留意すべきである。これにより、例えば、これらの示されたストレージの各々のうちの１又は複数は、プログラム及び／又はデータがいくつかの機械可読記憶媒体の形式で格納され、かつ、伝達される光ドライブ又はフラッシュメモリカードリーダ、プログラム及び／又はデータを比較的拡張された期間ローカルに格納する強磁性ディスクドライブ、及び、プログラム及び／又はデータに対して比較的迅速にアクセスすることを可能にする１又は複数の揮発性ソリッドステートメモリデバイス（例えば、ＳＲＡＭ又はＤＲＡＭ）の組み合わせを表してよい。これらのストレージの各々が、同一のストレージ技術に基づいて、複数のストレージコンポーネントで構成され得るが、（例えば、いくつかのＤＲＡＭデバイスがメインストレージとして採用される一方、他のＤＲＡＭデバイスがグラフィックスコントローラの別個のフレームバッファとして採用されるといった）使用における特性の結果として別々に維持されてよいこともまた留意すべきである。
【００４７】
様々な実施形態において、インタフェース１９０、３９０及び６９０は、説明されたように、これらのコンピューティングデバイスが他のデバイスに結合されることを可能にする多種多様なシグナリング技術のいずれかを採用してよい。これらのインタフェースの各々は、そのような結合を可能とする少なくともいくつかの必須の機能を提供する回路を含む。しかしながら、これらのインタフェースの各々はまた、（例えば、プロトコルスタック又は他の機能を実装する）プロセッサコンポーネントのうちの対応するものにより実行される命令列と共に少なくとも部分的に実装されてもよい。電気的及び／又は光学的に導電性のあるケーブル配線が採用された場合、これらのインタフェースは、ＲＳ―２３２Ｃ、ＲＳ―４２２、ＵＳＢ、Ｅｔｈｅｒｎｅｔ（登録商標）（ＩＥＥＥ−８０２．３）又はＩＥＥＥ−１３９４を限定することなく含む、様々な業界標準のいずれかに準拠するシグナリング及び／又はプロトコルを採用してよい。無線信号伝送の使用が必要とされる場合、これらのインタフェースは、ＩＥＥＥ８０２．１１ａ、８０２．１１ｂ、８０２．１１ｇ、８０２．１６、８０２．２０（通常、「モバイルブロードバンド無線アクセス」と称される）、Ｂｌｕｅｔｏｏｔｈ（登録商標）、Ｚｉｇｂｅｅ（登録商標）、又は、ＧＳＭ（登録商標）及び汎用パケット無線サービス（ＧＳＭ（登録商標）／ＧＰＲＳ）、ＣＤＭＡ／ｌｘＲＴＴ、ＥＤＧＥ（Ｅｎｈａｎｃｅｄ  Ｄａｔａ  Ｒａｔｅｓ  ｆｏｒ  Ｇｌｏｂａｌ  Ｅｖｏｌｕｔｉｏｎ）、ＥＶ−ＤＯ（Ｅｖｏｌｕｔｉｏｎ  Ｄａｔａ  Ｏｎｌｙ／Ｏｐｔｉｍｉｚｅｄ）、ＥＶ−ＤＶ（Ｅｖｏｌｕｔｉｏｎ  Ｆｏｒ  Ｄａｔａ ａｎｄ  Ｖｏｉｃｅ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、４Ｇ  ＬＴＥ等のようなセルラー無線電話サービスを限定することなく含む、様々な業界標準のいずれかに準拠するシグナリング及び／又はプロトコルを採用してよい。
【００４８】
図５及び６の各々は、図１又は２のいずれかのビデオプレゼンテーションシステム１０００の実施形態の一部のブロック図をより詳細に示す。より具体的に、図５は、プロセッサコンポーネント３５０が、制御ルーチン３４０を実行中に、反復的な取得及び表示装置６００への提供の後に画像８８０のフレームを圧縮及び格納する場合のコンピューティングデバイス３００の動作環境の態様を示す。図６は、プロセッサコンポーネント６５０が制御ルーチン６４０の実行中に、これらのフレームを解凍し、ディスプレイ６８０上で視覚的に提示する場合の表示装置６００の動作環境の態様を示す。当業者に理解されるように、各々が構成される複数のコンポーネントを含む制御ルーチン３４０及び６４０は、たとえプロセッサコンポーネント３５０及び６５０のそれぞれを実装するために選択されるプロセッサ又は複数のプロセッサのタイプであろうと動作可能となるように選択される。
【００４９】
様々な実施形態において、制御ルーチン３４０及び６４０の各々は、オペレーティングシステム、デバイスドライバ、及び／又は、（例えば、リモートサーバから取得された「アプレット」をディスクメディア上に提供した、いわゆる「ソフトウェアスイート」等の）アプリケーションレベルルーチンのうちの１又は複数を含んでよい。オペレーティングシステムが含まれる場合、オペレーティングシステムは、プロセッサコンポーネント３５０又は６５０の対応するものに適用する様々な利用可能なオペレーティングシステムのいずれかであってよい。１又は複数のデバイスドライバが含まれる場合、これらのデバイスドライバは、コンピューティングデバイス３００又は６００に対応するもので、ハードウェア又はソフトウェアコンポーネントのいずれかの様々な他のコンポーネントのいずれかに関するサポートを提供してよい。
【００５０】
制御ルーチン３４０は、説明されたように、ネットワーク９９９を介して信号を送信及び受信するインタフェース３９０を操作するプロセッサコンポーネント３５０により実行可能な通信コンポーネント３４９を含んでよい。受信した信号の中には、ネットワーク９９９を介してコンピューティングデバイス３００に動画データ１３０を伝達する信号があり得る。当業者に認識されるように、この通信コンポーネントは、インタフェーステクノロジーのタイプが、インタフェース３９０を実装するように選択されるものなら何でも動作可能であるように選択される。
【００５１】
図５をより具体的に参照すると、制御ルーチン３４０は、プロセッサコンポーネント３５０により実行可能であり、フレームバッファデータ３３０のフルフレーム３３６及び／又は差分フレーム３３７を圧縮して、圧縮されたバッファデータ４３０の圧縮されたフルフレーム４３６及び／又は圧縮された差分フレーム４３７のそれぞれを生成するフレームバッファコンプレッサ３４６を含む。前述のように、前フレームからの差として画素のカラー値を表現するときに差分フレーム３３７が基準とする前フレームが存在しない、又は、差分フレームが参照できる前フレームがあるか否かに関わらずフルフレーム３３６を送信することが望ましいと考えられるという結果をもたらす条件があってよい。したがって、フレームバッファコンプレッサ３４６がフルフレーム３３６を代わりに圧縮する必要性が時々生じる。フルフレーム３３６の圧縮の後に、フルフレーム３３６は、フルフレーム３３６に続く差分フレーム３３７のうちの最初のものにより参照される、先行する隣接フレーム３３１になり、フルフレーム３３６に続く複数の現フレーム３３２のうちの当該最初のものを説明する。説明したように、フレームバッファコンプレッサ３４６は、いくつかの実施形態において、ハフマン符号化を実装してよい。
【００５２】
図示したように、及び、前述のように、差分フレーム３３７は、画素のカラー値における差を計算する速度を向上させるべく、いくつかの実施形態において、デジタル回路で構成されるフレーム減算器３７０により導出されてよい。しかしながら、他の実施形態において、プロセッサコンポーネント３５０は、プロセッサコンポーネント３５０にそのような差の計算を実行させる制御ルーチン３４０のコンポーネントを実行してよい。
【００５３】
制御ルーチン３４０は、圧縮されたバッファデータ４３０から最新の圧縮されたフレームを反復的に取得し、それを表示装置６００に提供することによりディスプレイ６８０上に視覚的に提示される画像８８０を更新することをサポートするプロセッサコンポーネント３５０により実行可能な取得コンポーネント３４７を含む。説明されたように、それは、大抵、圧縮されたバッファデータ４３０から取得される圧縮された差分フレーム４３７である。しかしながら、フルフレームが表示装置６００に提供されなければならないという以下の条件において、取得コンポーネント３４７は、圧縮されたフルフレーム４３６を取得し、それを表示装置６００に提供する。
【００５４】
これにより、図５に示される動作環境において、コンピューティングデバイス３００により生成されるユーザインタフェースの視覚コンポーネントのフレームは、フレームバッファデータ３３０に格納される複数の差分フレーム３３７をフレーム減算器３７０により生成するべく最初に採用される。それから、ユーザインタフェースの視覚的部分のフレームを表す少なくとも１つのフルフレーム３３６及び複数の差分フレーム３３７は、フレームバッファコンプレッサ３４６により圧縮される。結果として生じる少なくとも１つの圧縮されたフルフレーム４３６及び複数の圧縮された差分フレーム４３７は、それから、取得コンポーネント３４７による、取得及び表示装置６００への伝達のために、圧縮されたバッファデータ４３０の一部として格納される。さらに、差分フレーム３３７の各々を導出するべく実行される減算は、プロセッサ集約型ではない比較的単純な計算である。また、プロセッサ集約型（例えば、ハフマン符号化）でもないタイプの圧縮を用いながら、圧縮されたフレームの多くが差分フレーム３３７であるという事実は、比較的高度合いの圧縮をもたらす。これは、ディスプレイ６８０の更新のたびに取得されなければならないデータ量を大幅に低減する。全体的な結果として、ディスプレイ６８０を反復的に更新するために必要とされる電力量が大幅に低減される。
【００５５】
動画データ１３０のフレームがディスプレイ６８０上に視覚的に提示されてもよい実施形態において、制御ルーチン３４０はまた、様々なタイプ解凍のいずれかを用いて動画データ１３０のフレームを解凍する、プロセッサコンポーネント３５０により実行可能な動画デコンプレッサ３４１を含んでもよい。用いられた解凍のタイプがＭＰＥＧのバージョンである場合、動画デコンプレッサ３４１は、エントロピーデコーダ３４１１、逆量子化コンポーネント３４１２、逆離散コサイン変換（ＩＤＣＴ）コンポーネント３４１３、動き補償器３４１４及び色空間コンバータ３４１５のうちの１又は複数を組み込んでよい。
【００５６】
図５の動画デコンプレッサ３４１に着目すると、ＭＰＥＧの当業者によく知られるように、エントロピーデコーダ３４１１は、圧縮中に用いられ得るハフマン符号化（又は別のエントロピー符号化の形式）をデコードする。ハフマン符号化は、より多い頻度で発生するデータ値に対してより短いビット長の記述子を割り当て、より少ない頻度で発生するデータ値に対してより長いビット長の記述子を割り当て、同じデータ値を表現するために必要とされるビットの数を低減する。逆量子化コンポーネント３４１２は、ある程度まで、圧縮中の量子化において発生した高い頻度のコンポーネントの除去を逆行させる。ＩＤＣＴコンポーネント３４１３は、画素のカラー値を周波数領域に変換するべく、圧縮中に用いられた離散コサイン変換（ＤＣＴ）を逆行させる。動き補償器３４１４は、フレームを再構成するときにこれらのシフトの結果に影響を与える画素のカラー値のブロックにおける方向及び距離のシフトを表現する動きベクトルを採用する。色空間コンバータ３４１５は、存在する場合、ＭＰＥＧにおいてしばしば採用される輝度−色差（ＹＵＶ）色空間から、駆動ディスプレイにおいてしばしば採用される赤−緑−青（ＲＧＢ）色空間へというように、動画デコンプレッサ３４１の他のコンポーネントにより再構成されるフレームの色空間を変換するために採用されてよい。
【００５７】
これにより、図５に示される動作環境において、動画データ１３０の圧縮されたフレームは、フレームバッファデータ３３０の一部（例えば、現フレーム３３２及び先行する隣接フレーム３３１）として格納される圧縮されていないフレームを生成するべく、動画デコンプレッサ３４１により、まず完全に解凍される。これ以降、動画データ１３０の圧縮されていないフレームは、前述したユーザインタフェースの視覚的部分のフレームとほとんど同じ方法で処理される。複数の差分フレーム３３７は、これらの動画データ１３０の圧縮されていないフレームから導出され、動画データ１３０の他の圧縮されていないフレームを表す少なくとも１つのフルフレーム３３６及び複数の差分フレーム３３７がフレームバッファコンプレッサ３４６により圧縮される。結果として生じる少なくとも１つの圧縮されたフルフレーム４３６及び複数の圧縮された差分フレーム４３７は、それから、取得コンポーネント３４７による取得及び表示装置６００への伝達のために、圧縮されたバッファデータ４３０の一部として格納される。
【００５８】
図６をより具体的に参照すると、表示装置６００がコンピューティングデバイス３００に統合されていない実施形態において、制御ルーチン６４０は、説明したように、ネットワーク９９９を介して信号を送信及び受信するべくインタフェース６９０を動作させる、プロセッサコンポーネント６５０により実行可能な通信コンポーネント６４９を含んでよい。受信した信号の中には、圧縮されたバッファデータ４３０を、ネットワーク９９９を介して表示装置６００に伝達する信号があり得る。当業者に認識されるように、この通信コンポーネントは、インタフェーステクノロジーのタイプがインタフェース６９０を実装するように選択されるものなら何でも動作可能であるように選択される。
【００５９】
制御ルーチン６４０は、プロセッサコンポーネント６５０により実行可能なディスプレイバッファデコンプレッサ６４６を含み、フレームバッファコンプレッサ３４６による圧縮の後にコンピューティングデバイス３００から受信したときに、圧縮されたバッファデータ４３０の圧縮されたフルフレーム４３６及び／又は圧縮された差分フレーム４３７を解凍する。そのような解凍を実行するとき、ディスプレイバッファデコンプレッサ６４６は、結果として生じる圧縮されていないフルフレーム３３６及び／又は圧縮されていない差分フレーム３３７をそれぞれ、ディスプレイバッファデータ６３０に格納する。
【００６０】
図示されるように、差分フレーム３３７の画素のカラー値は、現フレーム６３２を再構成するべく、フレーム加算器６７０により先行する隣接フレーム６３１の画素のカラー値と合計されてよい。先行する隣接フレーム６３１は、再構成され、ディスプレイ６８０上に視覚的に提示される最新のフレームであり、現フレーム６３２は、ディスプレイ６８０上の視覚的表現のために再構成される次のフレームである。しかしながら、他の実施形態において、プロセッサコンポーネント６５０は、プロセッサコンポーネント６５０にそのような合計の計算を実行させる制御ルーチン６４０のコンポーネントを実行してよい。しかしながら、ディスプレイ６８０上に視覚的に表示される次のフレームがフルフレーム３３６である場合、そのような合計の計算は、実行されず、更に言えば、まだ、先行する隣接フレーム６３１が存在しない可能性があることに留意すべきである。
【００６１】
制御ルーチン６４０は、ディスプレイバッファデータ６３０の最新の現フレーム６３２をディスプレイ６８０に反復的に視覚的に提示する、プロセッサコンポーネント６５０により実行可能なプレゼンテーションコンポーネント６４８を含む。当業者によく知られるように、プレゼンテーションコンポーネント６４８がディスプレイ６８０上に視覚的表現のための複数のフレームを提供する場合の更新レートは、一致するように選択され、又は、圧縮された複数のフレームがコンピューティングデバイス３００から表示装置６００により受信されるレートの倍数となるように選択されてよい。これにより、いくつかの実施形態において、現フレーム６３２の各々は、ディスプレイ６８０上で一回以上レンダリングされるラスタスキャンであってよい。
【００６２】
図６に示される動作環境において、（ネットワークを介して又はネットワークを介さずに）コンピューティングデバイス３００から受信される圧縮された複数のフレームは、それらのコンテンツに関わらず、同じ手法で処理されることに留意すべきである。これにより、それらの動画による包含又は包含の欠如に応じた複数のフレームの解凍又は視覚的表現には変化がない。
【００６３】
図７及び８はそれぞれ、図１又は２のいずれかのビデオプレゼンテーションシステム１０００の代替的な実施形態の一部のブロック図をより詳細に示す。より具体的に、図７は、動画データ１３０の圧縮されたフレームが解凍され、再圧縮され、かつ、図５のコンピューティングデバイス３００の実施形態とは幾分か異なる表示装置６００に提供されるコンピューティングデバイス３００の代替的な実施形態の動作環境の態様を示す。図８は、動画データ１３０のフレームを含む受信した圧縮されたフレームの解凍が、図６の表示装置６００の実施形態とは幾分か異なって実行される表示装置６００の代替的な実施形態の動作環境の態様を示す。図８の表示装置６００の実施形態は、図５の対応部分と図７のコンピューティングデバイス３００の実施形態と違いに適応するべく、図６の対応部分とは異なる。
【００６４】
図７及び８のビデオプレゼンテーションシステム１０００の代替的な実施形態は、図５及び６のビデオプレゼンテーションシステム１０００の実施形態と多くの点で類似しており、そのため、同様の参照番号が、全体にわたって同様の要素に言及するために用いられる。例として、現フレーム３３２及び先行する隣接フレーム３３１がユーザインタフェースの視覚的部分である場合、それらが圧縮され、表示装置６００に伝達される手法、及び、それらが解凍され、表示装置６００により視覚的に提示される手法は、これら視覚的表現システム１０００の２つの実施形態の間で実質的に類似する。しかしながら、ＭＰＥＧのバージョンに従って圧縮された動画データ１３０の動画の圧縮されたフレームの処理の手法は、幾分異なる。
【００６５】
図５及び６のビデオプレゼンテーションシステム１０００の実施形態では、動画データ１３０の動画の圧縮された複数のフレームは、動画デコンプレッサ３４１により、まず完全に解凍され、次に、表示装置６００へ伝達される前に、フレームバッファコンプレッサ３４６により再圧縮されており、それらがディスプレイバッファデコンプレッサ６４６により再び解凍されていた。しかしながら、図７及び８のビデオプレゼンテーションシステム１０００の実施形態に関して、より詳細に手短に説明されるように、ＭＰＥＧのバージョンに従って圧縮された動画データ１３０のフレームは、動画デコンプレッサ３４１により部分的にのみ解凍され、次に、表示装置６００に伝達される前にフレームバッファコンプレッサ３４６により再圧縮され、フレームバッファコンプレッサ３４６の圧縮が動画デコンプレッサ３４１によりされず、かつ、元のＭＰＥＧ圧縮の解凍が最終的に完了する。
【００６６】
図７を参照すると、動画デコンプレッサ３４１は、動き補償器３４１４を除いて、図５の対応部分と同じコンポーネントを組み込む。これにより、図７の動画デコンプレッサ３４１は、エントロピー復号化、逆量子化及びＩＤＣＴを実行し、また図５の動画デコンプレッサ３４１と同様に色空間変換を実行してもよい一方、図７の動画デコンプレッサは動き補償を実行しない。ＭＰＥＧに精通した者であれば容易に認識するように、動き補償は、画素のカラー値の１又は複数のブロックがフレーム間で変化した方向及び距離を特定する動きベクトルの指標と共に、少なくとも１つの他のフレーム（例えば、差分フレームのタイプ）の画素のカラー値との差として画素のカラー値を説明するフレームを組み合わせることにより、予測フレーム（Ｐフレーム）及び双方向予測フレーム（Ｂフレーム）の解凍を完了することを伴う。イントラフレーム（Ｉフレーム）が別のフレームの画素のカラー値を参照することにより画素のカラー値を表現せず、かつ、動きベクトルを組み込まないので、Ｉフレームのみが動画デコンプレッサ３４１により完全に解凍される。結果として、動画デコンプレッサ３４１は、完全に解凍されたＩフレームをフルフレーム３３６としてフレームバッファデータ３３０に格納し、部分的に解凍されたＰフレーム及びＢフレームを差分フレーム３３７及び付随の動きベクトル３３８の指標の組み合わせとして格納する。
【００６７】
フレームバッファコンプレッサ３４６は、フルフレーム３３６及び差分フレーム３３７を圧縮し、取得コンポーネント３４７は、図５及び７の実施形態の両方における表示装置６００への伝達のために、結果として生じる圧縮されたフルフレーム４３６及び圧縮された差分フレーム４３７をそれぞれ反復的に取得する。しかしながら、図７において、フレームバッファコンプレッサ３４６はまた、動きベクトル３３８の指標を圧縮してもよく、取得コンポーネントはまた、結果として生じる圧縮された動きベクトル４３８の指標を取得し、これを表示装置６００に伝達してもよい。
【００６８】
図８を参照すると、制御ルーチン６４０は、図６の対応部分と同様に、ディスプレイバッファデコンプレッサ６４６及びプレゼンテーションコンポーネント６４８を組み込む。しかしながら、図８の制御ルーチン６４０は、動き補償コンポーネント６４７をさらに組み込む。ディスプレイバッファデコンプレッサ６４６は、圧縮されたフルフレーム４３６及び圧縮された差分フレーム４３７を解凍し、プレゼンテーションコンポーネント６４８は、最新の再構成されたフレームを図６及び８の実施形態の両方におけるディスプレイ６８０に視覚的に提示する。しかしながら、図８において、ディスプレイバッファデコンプレッサ６４６はまた、圧縮された動きベクトル４３８の指標を解凍してもよく、それによって、ディスプレイバッファデータ６３０の一部として格納される圧縮されていない形式で動きベクトル３３８の指標を生成する。また、動き補償コンポーネント６４７は、さもなければ動画デコンプレッサ３４１により実行されていなければならないＭＰＥＧ解凍の動き補償部分を実行する。これにより、動き補償コンポーネント６４７は、動画データ１３０の最初に圧縮されたフレームのＭＰＥＧ解凍を効果的に完了する。
【００６９】
図９は、論理フロー２１００の一実施形態を示す。論理フロー２１００は、本明細書で説明された１つ又は複数の実施形態により実行されるオペレーションのうちのいくつか又は全てを代表し得る。より具体的に、論理フロー２１００は、少なくとも制御ルーチン３４０を実行しているときに、プロセッサコンポーネント３５０により実行され、及び／又は、コンピューティングデバイス３００の（複数の）他のコンポーネントにより実行されるオペレーションを示してよい。
【００７０】
２１１０で、コンピューティングデバイスのプロセッサコンポーネント（例えば、コンピューティングデバイス３００のプロセッサコンポーネント３５０）は、差分フレームにより参照され得る前フレームがあるか否かをまずチェックすることにより、圧縮されていない現フレーム（例えば、フレームバッファデータ３３０の現フレーム３３２）を圧縮する。前述のように、イベントは、コンピューティングデバイスの電源投入等のように、差分フレームにおける画素カラーの差の表現による基準として採用される前フレームが存在しないという結果を生じ得る。前フレームが存在しない場合、次に、２１１２で、圧縮されていない現フレームが、圧縮され、後続の取得及び表示装置（例えば、表示装置６００）への伝達のための圧縮されたフルフレームとして格納される。また前述のように、画素のかなりの割合の画素のカラー値に大幅な変化が発生した場合、たとえ利用可能な前フレームが存在する場合であっても、差分フレームの代わりに現フレームを圧縮及び格納することが望ましいと考えられ得る。動画の視覚的表現とユーザインタフェースの視覚的部分の視覚的表現との間の変化のように、視覚的に提示されるものに変化がある場合、画素のそのようなかなりの割合のそのような大幅な変化が生じ得る。
【００７１】
しかしながら、２１１０で前フレームが存在する場合、次に、圧縮されていない現フレームと前フレーム（例えば、先行する隣接フレーム３３１）との間の画素のカラー値における差を表現する差分フレームが２１２０で他方から一方を減算することにより導出される。前述のように、そのような減算は、デジタル回路とともに実装されるフレーム減算器（例えば、フレーム減算器３７０）により実行されてよく、又は、コンピューティングデバイスのプロセッサコンポーネントにより実行されてよい。導出された差分フレームは、次に、圧縮され、２１２２での後続の取得及び表示装置への伝達のための圧縮された差分フレームとして格納される。
【００７２】
圧縮されたフルフレーム又は圧縮された差分フレームが２１１２又は２１２２のそれぞれで格納されたか否かに関わらず、２１３０では、圧縮され、かつ、後続の取得及び表示装置への伝達に備えて格納される追加のフレームが存在する否かについてチェックが行われる。追加のフレームが存在する場合、次に、前フレームのチェックが２１１０で繰り返される。
【００７３】
図１０は、論理フロー２２００の一実施形態を示す。論理フロー２２００は、本明細書で説明された１つ又は複数の実施形態により実行されるオペレーションのいくつか又は全てを代表し得る。より具体的に、論理フロー２２００は、少なくとも制御ルーチン６４０を実行するときにプロセッサコンポーネント６５０により実行され、及び／又は表示装置６００の（複数の）他のコンポーネントにより実行されるオペレーションを示し得る。
【００７４】
２２１０で、表示装置のプロセッサコンポーネント（例えば、表示装置６００のプロセッサコンポーネント６５０）は、コンピューティングデバイス（例えば、コンピューティングデバイス３００）から受信した圧縮されたフレームを解凍する。前述のように、表示装置は、コンピューティングデバイスに組み込まれてよく、又は、コンピューティングデバイスにさらに結合される一方、コンピューティングデバイスから物理的に分離されてよい。また、コンピューティングデバイスから受信した圧縮されたフレームは、ハフマン符号化を用いて圧縮されたものであってもよい。
【００７５】
２２２０で、ここで解凍されたフレームのチェックが行われ、（差分フレームに対する）フルフレームであるかどうかを判断する。解凍されたフレームがフルフレームである場合、それは、別のフレームに関して画素のカラー値を表現しておらず、２２２２で、表示装置のディスプレイ（例えば、ディスプレイ６８０）上に視覚的に提示される。
【００７６】
しかしながら、２２２０で、ここで解凍されたフレームがフルフレームでない場合、それは差分フレームであり、画素のカラー値における差の表現が、２２３０で表示装置により再構成されて視覚的に提示された最後のフレームに合計され、視覚的に提示される次のフレームを再構成する。次に、ここで再構成された次のフレームが、２２３２で、ディスプレイ上に視覚的に提示される。
【００７７】
フルフレームか、又は、差分フレームを用いて再構成されたフレームかに関わらず、２２２２又は２２３２でそれぞれ視覚的に提示され、２２４０で、ディスプレイ上の視覚的表現のために解凍されるべき追加のフレームが存在するか否かのチェックが行われる。追加のフレームが存在する場合、次に、別の圧縮されたフレームが、２２１０で解凍される。
【００７８】
図１１は、論理フロー２３００の一実施形態を示す。論理フロー２３００は、本明細書で説明された１つ又は複数の実施形態により実行されるオペレーションのいくつか又は全てを代表し得る。より具体的に、論理フロー２３００は、少なくとも制御ルーチン３４０を実行するとき、プロセッサコンポーネント３５０により実行され、及び／又は、図７のコンピューティングデバイス３００の実施形態の（複数の）他のコンポーネントにより実行されるオペレーションを示し得る。
【００７９】
２３１０で、コンピューティングデバイスのプロセッサコンポーネント（例えば、コンピューティングデバイス３００のプロセッサコンポーネント３５０）は、ＭＰＥＧのバージョンを用いて圧縮された動画のフレームを部分的にのみ解凍する。別のフレームと比較して変化したものに関連する画素のブロックについて画素のカラー値で方向及び距離を示す動きベクトルにおける動き補償は実行されない。結果として、前述のように、部分的に解凍されたフレームは、その画素のカラー値が少なくとも１つの他のフレームに関して表現されている差分フレームのままである。
【００８０】
２３２０で、この結果として生じる差分フレーム及びその付随の動きベクトルの指標（例えば、差分フレーム３３７及び動きベクトル３３８の指標）は、（例えば、ストレージ用の圧縮された差分フレーム４３７及び圧縮された動きベクトル４３８の指標として）ストレージ用に両方とも圧縮される。前述のように、ストレージ用に用いられ得る圧縮のタイプは、ハフマン符号化を含んでよい。
【００８１】
結果として生じる圧縮された差分フレーム及び付随の動きベクトルの指標は、後続の取得及び表示装置（例えば、表示装置６００）への伝達に備えるように２３３０で格納される。前述のように、圧縮された差分フレーム及びその付随する動きベクトルの指標は、コンピューティングデバイスにより実行されないＭＰＥＧ解凍の動き補償ステップが最終的に実行される表示装置へ一緒に伝達される。
【００８２】
２３４０で、部分的に解凍されるべき動画の追加のフレームが存在するか否かについてチェックが行われ、次に、後続の取得及び表示装置への伝達に備えて圧縮及び格納される。追加のフレームが存在する場合、次に、動画の別のフレームの部分的な解凍が２３１０で実行される。
【００８３】
図１２は、論理フロー２４００の一実施形態を示す。論理フロー２４００は、本明細書で説明された１つ又は複数の実施形態により実行されるオペレーションのいくつか又は全てを代表し得る。より具体的に、論理フロー２４００は、少なくとも制御ルーチン６４０を実行するときに、プロセッサコンポーネント６５０により実行され、及び／又は、図８の表示装置６００の（複数の）他のコンポーネントにより実行されるオペレーションを示し得る。
【００８４】
２４１０で、表示装置のプロセッサコンポーネント（例えば、表示装置６００のプロセッサコンポーネント６５０）は、コンピューティングデバイス（例えば、コンピューティングデバイス３００）から受信した動画の圧縮された差分フレーム及びその付随する圧縮された動きベクトルの指標の両方を解凍する。前述のように、上記の論理フロー２３００で単に例示したように、コンピューティングデバイスは、動画のフレームのＭＰＥＧ解凍を部分的にのみ実行し得る。その部分的に実行された解凍の結果は、コンピューティングデバイスが次に、ストレージ、取得及び表示装置への伝達のために異なるタイプの圧縮（例えば、ハフマン符号化）を用いて圧縮する差分フレームと付随する動きベクトルの指標との組み合わせである。
【００８５】
２４２０で、コンピューティングデバイスにより実行されない動き補償ステップは、結果として生じる差分フレームと動きベクトルの指標との組み合わせで実行され、動画のフレームのＭＰＥＧデコードを本質的に完了する。２４３０で、ここで完全に再構成された動画のフレームは、表示装置のディスプレイ（例えば、ディスプレイ６８０）上に視覚的に提示される。
【００８６】
図１３は、前述されたように、様々な実施形態を実装するために適切な処理アーキテクチャ３０００の実施形態を示す。より具体的に、処理アーキテクチャ３０００（又はその変形）は、コンピューティングデバイス１００、３００又は６００の１又は複数の一部として実施され得る。処理アーキテクチャ３０００のコンポーネントは、末尾の２桁が、コンピューティングデバイス１００、３００及び６００の一部として以前に示され、かつ、説明されたコンポーネントの少なくともいくつかの参照番号の末尾の２桁に対応する所与の参照番号であることに留意すべきである。これは、コンポーネントの各々に対応する補助として行われる。
【００８７】
処理アーキテクチャ３０００は、１又は複数のプロセッサ、マルチコアプロセッサ、コプロセッサ、メモリユニット、チップセット、コントローラ、周辺機器、インタフェース、発振器、タイミングデバイス、ビデオカード、オーディオカード、マルチメディア入力／出力（Ｉ／Ｏ）コンポーネント、電力供給等を限定することなく含む、デジタル処理において通常採用される様々な要素を含む。本願において用いられるように、用語「システム」及び「コンポーネント」は、デジタル処理が実行されるコンピューティングデバイスのエンティティに言及することが意図され、エンティティは、ハードウェア、ハードウェア及びソフトウェアの組み合わせ、ソフトウェア又は実行中のソフトウェア、この示された処理アーキテクチャにより提供される例である。例えば、コンポーネントは、プロセッサコンポーネントにおいて実行されている処理、プロセッサコンポーネント自体、光及び／又は磁気記憶媒体を採用し得るストレージデバイス（例えば、ハードディスクドライブ、アレイにおける複数のストレージドライブ等）、ソフトウェアオブジェクト、実行可能な命令列、実行スレッド、プログラム及び／又はコンピューティングデバイス全体（例えば、コンピュータ全体）となり得るがこれらに限定されない。例示として、サーバ上で実行するアプリケーション及びサーバの両方がコンポーネントとなり得る。１又は複数のコンポーネントは、処理及び／又は実行スレッド内に存在することができ、コンポーネントは、１つのコンピューティングデバイス上に局在され、及び／又は、２又はそれより多いコンピューティングデバイスの間で分散されることができる。さらに、コンポーネントは、オペレーションを調整するべく、様々なタイプの通信媒体により互いに通信可能に結合されてよい。調整は、一方向又は双方向の情報の交換を伴ってよい。例えば、コンポーネントは、通信媒体を介して通信される信号の形式で情報を通信してよい。情報は、１又は複数の信号線に割り当てられた信号として実装され得る。（コマンド、ステータス、アドレス又はデータメッセージを含む）メッセージは、そのような信号のうちの１つであってよく、又は、そのような信号のうちの複数であってよく、かつ、直列又は実質的に並列に、様々な接続及び／又はインタフェースのいずれかを通じて送信されてよい。
【００８８】
図示されるように、処理アーキテクチャ３０００の実装において、コンピューティングデバイスは、少なくともプロセッサコンポーネント９５０、ストレージ９６０、他のデバイスに対するインタフェース９９０及び結合９５５を含む。説明されるように、処理アーキテクチャ３０００を実装するコンピューティングデバイスの様々な態様に依存して、その意図された使用及び／又は使用の状態を含み、そのようなコンピューティングデバイスは、そのような限定なしに、ディスプレイインターフェース９８５のような追加のコンポーネントをさらに含んでよい。
【００８９】
結合９５５は、１又は複数のバス、ポイントツーポイントインタコネクト、送受信機、バッファ、クロスポイントスイッチ、及び／又は、少なくともプロセッサコンポーネント９５０をストレージ９６０に通信可能に結合する他の導体並びに／若しくはロジックを含む。結合９５５は、インタフェース９９０、オーディオサブシステム９７０及びディスプレイインターフェース９８５のうちの１又は複数にプロセッサコンポーネント９５０をさらに結合してよい（これら及び／又は他のコンポーネントがまた存在することにも依存する）。プロセッサコンポーネント９５０が結合９５５により結合された状態で、プロセッサコンポーネント９５０は、処理アーキテクチャ３０００を実装する前述した複数のコンピューティングデバイスのうちのいずれか１つ（複数）について、上記で詳しく説明した様々なタスクを実行することができる。結合９５５は、信号が光学的及び／又は電気的伝達される様々な技術のいずれか、又は、技術の組み合わせで実装され得る。さらに、結合９５５の少なくとも一部は、アクセラレーテッドグラフィックスポート（ＡＧＰ）、ＣａｒｄＢｕｓ、Ｅ−ＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ）、ＭＣＡ（Ｍｉｃｒｏ  Ｃｈａｎｎｅｌ  Ａｒｃｈｉｔｅｃｔｕｒｅ）、ＮｕＢｕｓ、ＰＣＩ−Ｘ（Ｐｅｒｉｐｈｅｒａｌ  Ｃｏｍｐｏｎｅｎｔ  Ｉｎｔｅｒｃｏｎｎｅｃｔ（Ｅｘｔｅｎｄｅｄ））、ＰＣＩ−Ｅ（ＰＣＩ  Ｅｘｐｒｅｓｓ）、パーソナルコンピュータメモリカード国際協会（ＰＣＭＣＩＡ）バス、ハイパートランスポート、ＱｕｉｃｋＰａｔｈ等を限定することなく含む、多種多様な業界標準のいずれかに準拠するタイミング及び／又はプロトコルを採用し得る。
【００９０】
前述のように、（プロセッサコンポーネント３５０及び６５０に対応する）プロセッサコンポーネント９５０は、多種多様な技術のいずれかを採用し、複数の方法のいずれかで物理的に組み合わせられる１又は複数のコアとともに実施される、多種多様な商業的に利用可能なプロセッサのいずれかを含んでよい。
【００９１】
前述のように、（ストレージ３６０及び６６０に対応する）ストレージ９６０は、多種多様な技術のいずれか又は技術の組み合わせに基づいて、１又は複数の別個のストレージデバイスで構成されてよい。より具体的に、図示されるように、ストレージ９６０は、揮発性ストレージ９６１（例えば、ＲＡＭテクノロジーの１又は複数の形式に基づくソリッドステートストレージ）、不揮発性ストレージ９６２（例えば、それらのコンテンツを保持するために一定の電力の提供を必要としないソリッドステート、強磁性又は他のストレージ）及びリムーバブルメディアストレージ９６３（例えば、情報がコンピューティングデバイス間で伝達されるリムーバブルディスク又はソリッドステートメモリカードストレージ）のうちの１つ又は複数を含んでよい。複数の別個のタイプのストレージをおそらく含むようなこのストレージ９６０の図は、プロセッサコンポーネント９５０によりデータのより迅速な操作を可能にする（しかし、電力を絶えず必要とする「揮発性」技術をおそらく用いる）、あるタイプが比較的迅速な読み取り及び書き込み機能を提供する一方、別のタイプが比較的高い密度の不揮発性ストレージを提供する（しかし、比較的遅い読み取り及び書き込み機能をおそらく提供する）、コンピューティングデバイス内の１より多いタイプのストレージデバイスの通常の使用が認められている。
【００９２】
異なる技術を採用するしばしば異なるストレージデバイスの異なる特性を考慮すると、異なるインタフェースを通じてそれらの異なるストレージデバイスに結合される異なるストレージコントローラを通じて、コンピューティングデバイスの他の一部に結合される、そのような異なるストレージデバイスについてもよく見られる。例として、揮発性ストレージ９６１が存在し、ＲＡＭテクノロジーに基づく場合、揮発性ストレージ９６１は、行及び列のアドレス指定をおそらく採用する揮発性ストレージ９６１に適切なインタフェースを提供するストレージコントローラ９６５ａを通じじて結合９５５に通信可能に結合され、ストレージコントローラ９６５ａは、揮発性ストレージ９６１内に格納された情報を保存することを補助するべく、行の更新及び／又は他のメンテナンスタスクを実行し得る。別の例として、不揮発性ストレージ９６２が存在し、１又は複数の強磁性及び／又はソリッドステートディスクドライブを含む場合、不揮発性ストレージ９６２は、情報及び／又はシリンダのブロックとセクターとのアドレス指定をおそらく採用する不揮発性ストレージ９６２に適切なインタフェースを提供するストレージコントローラ９６５ｂを通じて結合９５５に通信可能に結合され得る。更なる別の例として、リムーバブルメディアストレージ９６３が存在し、機械可読記憶媒体９６９の１又は複数の断片を採用する１又は複数の光及び／又はソリッドステートディスクドライブを含む場合、リムーバブルメディアストレージ９６３は、情報のブロックのアドレス指定をおそらく採用するリムーバブルメディアストレージ９６３に適切なインタフェースを提供するストレージコントローラ９６５ｃを通じて結合９５５に通信可能に結合され、ストレージコントローラ９６５ｃは、機械可読記憶媒体９６９の寿命を延ばすことに特有の手法でオペレーションの読み出し、消去し、及び書き込みを調整し得る。
【００９３】
揮発性ストレージ９６１又は不揮発性ストレージ９６２の一方又は他方は、各々のベースになる複数の技術に依存して、プロセッサコンポーネント９５０により実行可能な命令列を含むルーチンが格納され得る、機械可読記憶媒体の形式における製品を含んでよい。例として、不揮発性ストレージ９６２は、強磁性ベースのディスクドライブ（例えば、「ハードドライブ」と呼ばれる）を含む場合、そのような各ディスクドライブは、１又は複数の回転プラッタを典型的に採用し、フロッピー（登録商標）ディスケットのような記憶媒体に似た手法で命令列のような情報を格納するべく、磁気的に対応する粒子のコーティングが様々なパターンで堆積され、かつ、磁気的に指向される。別の例として、不揮発性ストレージ９６２は、ソリッドステートストレージデバイスのバンクで構成され、コンパクトフラッシュ（登録商標）カードに似た手法で命令列のような情報を格納してよい。さらに、実行可能なルーチン及び／又はデータを格納するべく、異なる回数でコンピューティングデバイスの異なるタイプのストレージデバイスを採用することがよく見られる。これにより、プロセッサコンポーネント９５０により実行される命令列を含むルーチンは、機械可読記憶媒体９６９に最初に格納され、ルーチンが実行されるように、プロセッサコンポーネント９５０によって、より迅速にアクセスすることを可能とする機械可読記憶媒体９６９及び／又は揮発性ストレージ９６１の連続的な存在を必要としない、より長い期間の格納のための不揮発性ストレージ９６２に対してルーチンをコピーするときに、リムーバブルメディアストレージ９６３は続けて採用され得る。
【００９４】
前述のように、（おそらくインタフェース１９０、３９０又は６９０に対応する）インタフェース９９０は、１又は複数の他のデバイスにコンピューティングデバイスを通信可能に結合するべく採用される様々な通信技術のいずれかに対応する様々なシグナリング技術のいずれかを採用し得る。さらに、様々な形式の有線又は無線シグナリングの一方又は両方は、ネットワーク（例えば、ネットワーク９９９）又は相互接続されたネットワークのセットをおそらく通じて、入力／出力デバイス（例えば、図示された例示的なキーボード９２０若しくはプリンタ９２５）及び／又は他のコンピューティングデバイスと相互作用することをプロセッサコンポーネント９５０に可能させるべく採用され得る。任意の１つのコンピューティングデバイスによって、しばしばサポートされるべき複数のタイプのシグナリング及び／又はプロトコルのしばしば大幅に異なる性質が認められる場合、インタフェース９９０は、複数の異なるインタフェースコントローラ９９５ａ、９９５ｂ及び９９５ｃを含むように示される。インタフェースコントローラ９９５ａは、図示されたキーボード９２０のような、ユーザ入力デバイスから連続的に送信されたメッセージを受信するべく、様々なタイプの有線デジタルシリアルインタフェース又は無線周波数無線インタフェースのいずれかを採用してよい。インタフェースコントローラ９９５ｂは、図示されたネットワーク９９９（１又は複数のリンクで構成されるおそらくネットワーク、より小さなネットワーク又はおそらくインターネット）を通じて他のコンピューティングデバイスにアクセスする様々なケーブルベース若しくは無線シグナリング、タイミング及び／又はプロトコルのいずれかを採用してよい。インタフェース９９５ｃは、図示されたプリンタ９２５にデータを伝達するべく、シリアル又はパラレル信号伝送のいずれかの利用を可能にする、様々な電気的に導電性のあるケーブル配線のいずれかを採用してよい。インタフェース９９０の１又は複数のインタフェースコントローラを通じて通信可能に結合され得るデバイスの他の例は、マイク、リモートコントロール、スタイラスペン、カードリーダ、指紋リーダ、仮想現実インタラクショングローブ、グラフィカル入力タブレット、ジョイスティック、他のキーボード、網膜スキャナ、タッチスクリーンのタッチ入力コンポーネント、トラックボール、様々なセンサ、ジェスチャ及び／又は顔の表現を介して人によりシグナリングされたコマンド及び／又はデータを受け取るべく、人の動きを監視するカメラ又はカメラアレイ、レーザプリンタ、インクジェットプリンタ、機械ロボット、ミリング機械等を、限定することなく含む。
【００９５】
コンピューティングデバイスがディスプレイ（例えば、図示された例示的なディスプレイ９８０）に通信可能に結合される（又は、おそらく実際に組み込まれる）場合、そのような処理アーキテクチャ３０００を実装するコンピューティングデバイスはまた、ディスプレイインターフェース９８５を含んでよい。より汎用的なタイプのインタフェースは、ディスプレイに通信可能に結合するときに採用されてよいが、ディスプレイに様々な形式のコンテンツを視覚的に表示する場合にしばしば必要とされる、幾分か特化された追加の処理及び使用されるケーブルベースインタフェースの幾分か特化された性質は、しばしば別個のディスプレイインターフェースの提供が望ましくする。ディスプレイ９８０の通信可能な結合において、ディスプレイインターフェース９８５により採用され得る有線及び／又は無線シグナリング技術は、様々なアナログビデオインタフェース、デジタルビデオインタフェース（ＤＶＩ）、Ｄｉｓｐｌａｙ  Ｐｏｒｔ等のいずれかを、限定することなく含む様々な業界標準のいずれかに準拠するシグナリング及び／又はプロトコルを利用してよい。 
【００９６】
図１４は、システム４０００の実施形態を示す。様々な実施形態において、システム４０００は、グラフィックス処理システム１０００、コンピューティングデバイス１００、３００又は６００の１又は複数、及び／又は、論理フロー２１００又は２２００の一方又は両方のような、本明細書で説明された１つ又は複数の実施形態での使用に適切なシステム又はアーキテクチャを代表し得る。実施形態は、この点に限定されない。
【００９７】
図示されるように、システム４０００は、複数の要素を含んでよい。１又は複数の要素は、設計又は性能制約の所与のセットについて所望されるように、１又は複数の回路、コンポーネント、レジスタ、プロセッサ、ソフトウェアサブルーチン、モジュール又はそれらの任意の組み合わせを用いて実装され得る。図１４は、例として、特定のトポロジーにおいて限定された数の要素を示しているが、任意の適切なトポロジーにおいて、より多くの又はより少ない数の要素が、所与の実装について所望されるように、システム４０００で用いられる可能性があることが理解され得る。実施形態は、この文脈に限定されない。
【００９８】
複数の実施形態において、システム４０００は、この文脈に限定されないが、システム４０００は、メディアシステムであってよい。例えば、システム４０００は、パーソナルコンピュータ（ＰＣ）、ラップトップコンピュータ、ウルトララップトップコンピュータ、タブレット、タッチパッド、ポータブルコンピュータ、ハンドヘルドコンピュータ、パームトップコンピュータ、パーソナルデジタルアシスト（ＰＤＡ）、携帯電話、携帯電話／ＰＤＡの組み合わせ、テレビ、スマートデバイス（例えば、スマートフォン、スマートタブレット又はスマートテレビ）、モバイルインターネットデバイス（ＭＩＤ）、メッセージングデバイス、データ通信デバイス等に組み込まれてよい。
【００９９】
実施形態において、システム４０００は、ディスプレイ４９８０に結合されるプラットフォーム４９００ａを含む。プラットフォーム４９００ａは、（複数の）コンテンツサービスデバイス４９００ｃ若しくは（複数の）コンテンツ配信デバイス４９００ｄ又は他の類似のコンテンツソースのようなコンテンツデバイスからコンテンツを受信してよい。１又は複数のナビゲーション機能を含むナビゲーションコントローラ４９２０は、例えば、プラットフォーム４９００ａ及び／又はディスプレイ４９８０と相互作用するために用いられてよい。こららのコンポーネントの各々は、以下により詳細に説明される。
【０１００】
実施形態において、プラットフォーム４９００ａは、プロセッサコンポーネント４９５０、チップセット４９５５、メモリユニット４９６９、送受信機４９９５、ストレージ４９６２、アプリケーション４９４０及び／又はグラフィックスサブシステム４９８５の任意の組み合わせを含んでよい。チップセット４９５５は、プロセッサコンポーネント４９５０、メモリユニット４９６９、送受信機４９９５、ストレージ４９６２、アプリケーション４９４０及び／又はグラフィックスサブシステム４９８５間の相互通信を提供し得る。例えば、チップセット４９５５は、ストレージ４９６２との相互通信を提供することが可能なストレージアダプタ（不図示）を含んでよい。
【０１０１】
プロセッサコンポーネント４９５０は、任意のプロセッサ又は論理デバイスを用いて実装されてよく、さらに、図１３のプロセッサコンポーネント９５０と同じ又は同様のものであってよい。
【０１０２】
メモリユニット４９６９は、データを格納することが可能な任意の機械可読又はコンピュータ可読媒体を用いて実装されてよく、さらに、図１３の記憶媒体９６９と同じ又は同様のものであってよい。
【０１０３】
送受信機４９９５は、様々な適切な無線通信技術を用いて、信号を送信し受信することを可能とする１又は複数の無線機を含んでよく、さらに、図１３の送受信機９９５ｂと同じ又は同様のものであってよい。
【０１０４】
ディスプレイ４９８０は、任意のテレビ型のモニタ又はディスプレイを含んでよく、さらに、図１３のディスプレイ９８０と同じ又は同様のものであってよい。
【０１０５】
ストレージ４９６２は、不揮発性ストレージデバイスとして実施されてよく、さらに、図１３の不揮発性ストレージ９６２と同じ又は同様のものであってよい。
【０１０６】
グラフィックスサブシステム４９８５は、表示のための静止画又はビデオのような画像の処理を実行してよい。グラフィックスサブシステム４９８５は、例えば、グラフィックス処理ユニット（ＧＰＵ）又はビジュアル処理ユニット（ＶＰＵ）であってよい。アナログ又はデジタルインタフェースは、グラフィックスサブシステム４９８５及びディスプレイ４９８０を通信可能に結合するために用いられてよい。例えば、インタフェースは、高品位マルチメディアインタフェース、ＤｉｓｐｌａｙＰｏｒｔ、無線ＨＤＭＩ（登録商標）及び／又は無線ＨＤ準拠技術のいずれかであってよい。グラフィックスサブシステム４９８５は、プロセッサ回路４９５０又はチップセット４９５５に統合され得る。グラフィックスサブシステム４９８５は、チップセット４９５５に通信可能に結合されるスタンドアロンカードであり得る。
【０１０７】
本明細書で説明されるグラフィックス及び／又はビデオ処理技術は、様々なハードウェアアーキテクチャに実装され得る。例えば、グラフィックス及び／又はビデオ機能は、チップセット内に統合され得る。代替的に、別々のグラフィックス及び／又はビデオプロセッサが用いられてよい。さらに別の実施形態のように、グラフィックス及び／又はビデオ機能は、マルチコアプロセッサを含む汎用プロセッサにより実施され得る。さらなる実施形態において、機能は、消費者向け電子デバイスに実装され得る。
【０１０８】
実施形態において、（複数の）コンテンツサービスデバイス４９００ｂは、任意の国の、国際的な及び／又は独立のサービスによりホストされてよく、これにより、例えば、インターネットを介してプラットフォーム４９００ａにアクセス可能となる。（複数の）コンテンツサービスデバイス４９００ｂは、プラットフォーム４９００ａ及び／又はディスプレイ４９８０に結合されてよい。プラットフォーム４９００ａ及び／又は（複数の）コンテンツサービスデバイス４９００ｂは、ネットワーク４９９９へ及びネットワーク４９９９からメディア情報を通信（例えば、送信及び／又は受信）するべく、ネットワーク４９９９に結合されてよい。（複数の）コンテンツ配信デバイス４９００ｃはまた、プラットフォーム４９００ａ及び／又はディスプレイ４９８０に結合されてもよい。
【０１０９】
実施形態において、（複数の）コンテンツサービスデバイス４９００ｂは、ケーブルテレビボックス、パーソナルコンピュータ、ネットワーク、電話、デジタル情報及び／又はコンテンツを提供することができるインターネット可能なデバイス若しくは電気機器、及び、ネットワーク４９９９を介して、又は直接的に、コンテンツプロバイダとプラットフォーム４９００ａ及び／又はディスプレイ４９８０との間でコンテンツを一方向又は双方向に通信することが可能な任意の他の類似のデバイスを含んでよい。コンテンツがネットワーク４９９９を介してシステム４０００及びコンテンツプロバイダ内の複数のコンポーネントのうちの任意の１つへ及び任意の１つから一方向及び／又は双方向に通信し得ることが理解されよう。コンテンツの例は、例えば、ビデオ、音楽、医療及びゲーム情報等を含む任意のメディア情報を含んでよい。
【０１１０】
（複数の）コンテンツサービスデバイス４９００ｂは、メディア情報、デジタル情報及び／又は他のコンテンツを含むケーブルテレビプログラミングのようなコンテンツを受信する。コンテンツプロバイダの例は、任意のケーブル若しくは衛星テレビ又は無線機若しくはインターネットコンテンツプロバイダを含んでよい。提供した例は、実施形態を制限することを意味するものではない。
【０１１１】
実施形態において、プラットフォーム４９００ａは、１又は複数のナビゲーション機能を有するナビゲーションコントローラ４９２０から制御信号を受信してよい。ナビゲーションコントローラ４９２０のナビゲーション機能は、例えば、ユーザインタフェース４８８０と相互作用するために用られてよい。実施形態において、ナビゲーションコントローラ４９２０は、ユーザが空間（例えば、連続及び多次元の）データをコンピュータに入力することを可能にするコンピュータハードウェアコンポーネント（特にヒューマンインタフェースデバイス）であり得るポインティングデバイスであってよい。グラフィカルユーザインタフェース（ＧＵＩ）及び、テレビ並びにモニタのような多くのシステムは、ユーザが身体的なジェスチャを利用してコンピュータ又はテレビを制御し、及びそこにデータを提供することを可能にする。
【０１１２】
ナビゲーションコントローラ４９２０のナビゲーション機能の動作は、ディスプレイ上に表示されるポインタ、カーソル、フォーカスリング又は他の視覚的な指標の動きによって、ディスプレイ（例えば、ディスプレイ４９８０）上で同調され得る。例えば、ソフトウェアアプリケーション４９４０の制御化で、ナビゲーションコントローラ４９２０上に位置付けられるナビゲーション機能は、ユーザインタフェース４８８０上に表示される仮想ナビゲーション機能にマッピングされ得る。実施形態において、ナビゲーションコントローラ４９２０は、別個のコンポーネントではなく、プラットフォーム４９００ａ及び／又はディスプレイ４９８０に統合されてよい。しかしながら、実施形態は、当該要素又は本明細書で示された若しくは説明された文脈に限定されない。
【０１１３】
実施形態において、ドライバ（不図示）は、例えば、イネーブルになったときに、最初のブートアップの後にボタンのタッチでテレビのようなプラットフォーム４９００ａをユーザが即座にオン及びオフすることを可能にする技術を含んでよい。プログラムロジックは、プラットフォームが「オフ」にされるときに、プラットフォーム４９００ａが、メディアアダプタ又は他の（複数の）コンテンツサービスデバイス４９００ｂ若しくは（複数の）コンテンツ配信デバイス４９００ｃにコンテンツをストリーミング配信することを可能にしてよい。加えて、チップセット４９５５は、例えば、５．１サラウンドサウンドオーディオ及び／又は高精細な７．１サラウンドサウンドオーディオをサポートするハードウェア及び／又はソフトウェアを含み得る。ドライバは、統合されたグラフィックスプラットフォーム用のグラフィックスドライバを含んでよい。実施形態において、グラフィックスドライバは、ペリフェラルコンポーネントインターコネクト（ＰＣＩ）エクスプレスグラフィックスカードを含んでよい。
【０１１４】
様々な実施形態において、システム４０００内に示されるコンポーネントのうちの任意の１又は複数は、統合されてよい。例えば、プラットフォーム４９００ａ及び（複数の）コンテンツサービスデバイス４９００ｂが統合されてよく、若しくは、プラットフォーム４９００ａ及び（複数の）コンテンツ配信デバイス４９００ｃが統合されてよく、又は、プラットフォーム４９００ａ、（複数の）コンテンツサービスデバイス４９００ｂ及び（複数の）コンテンツ配信デバイス４９００ｃが統合されてよい。様々な実施形態において、プラットフォーム４９００ａ及びディスプレイ４８９０は、統合されたユニットであってよい。例えば、ディスプレイ４９８０及び（複数の）コンテンツサービスデバイス４９００ｂが統合されてよく、又は、ディスプレイ４９８０及び（複数の）コンテンツ配信デバイス４９００ｃが統合されてよい。これらの例は、実施形態を制限することを意味するものではない。
【０１１５】
様々な実施形態において、システム４０００は、無線システム、有線システム又は両方の組み合わせとして実装されてよい。無線システムとして実施される場合、システム４０００は、１又は複数のアンテナ、送信機、受信機、送受信機、増幅器、フィルタ、制御ロジック等のような、無線共有媒体を介して通信するために適切なコンポーネント及びインタフェースを含んでよい。無線共有媒体の例は、ＲＥスペクトル等のような無線スペクトルの一部を含んでよい。有線システムとして実装される場合、システム４０００は、Ｉ／Ｏアダプタ、対応する有線通信媒体を有するＩ／Ｏアダプタを接続する物理コネクタ、ネットワークインタフェースカード（ＮＩＣ）、ディスクコントローラ、ビデオコントローラ、オーディオコントローラ等のような、有線通信媒体を介して通信するために適切なコンポーネント及びインタフェースを含んでよい。有線通信媒体の例は、ワイヤ、ケーブル、金属リード、プリント回路基板（ＰＣＢ）、バックプレーン、スイッチファブリック、半導体材料、ツイストペアワイヤ、同軸ケーブル、ファイバオプティックス等を含み得る。
【０１１６】
プラットフォーム４９００ａは、情報を通信するべく、１又は複数の論理又は物理チャネルを確立し得る。情報は、メディア情報及び制御情報を含み得る。メディア情報は、ユーザ向けのコンテンツを表す任意のデータを指してよい。コンテンツの例は、例えば、音声会話からのデータ、ビデオ会議、ストリーミング、ビデオ、電子メール（ｅメール）メッセージ、ボイスメールメッセージ、英数字記号、グラフィックス、画像、ビデオ、テキスト等を含み得る。音声会話からのデータは、例えば、スピーチ情報、無音期間、背景雑音、快適ノイズ、トーン等であってよい。制御情報は、自動化されたシステム向けのコマンド、命令又は制御語を表す任意のデータを指してよい。例えば、制御情報は、システムを通じてメディア情報をルーティングするために、又は、予め定められた手法でメディア情報を処理することをノードに指示するために用いられてよい。しかしながら、実施形態は、要素又は図１４に示され若しくは説明された文脈に限定されない。
【０１１７】
前述のように、システム４０００は、様々な物理的なスタイル又はフォームファクタで具現化されてよい。図１５は、システム４０００が実装され得るスモールフォームファクタデバイス５０００の実施形態を示す。実施形態において、例えば、デバイス５０００は、無線機能を有するモバイルコンピューティングデバイスとして実装されてよい。モバイルコンピューティングデバイスは、処理システムと、例えば、１又は複数のバッテリのようなモバイル電源又はモバイル電力供給とを有する任意のデバイスを指してよい。
【０１１８】
上述のように、モバイルコンピューティングデバイスの例は、パーソナルコンピュータ（ＰＣ）、ラップトップコンピュータ、ウルトララップトップコンピュータ、タブレット、タッチパッド、ポータブルコンピュータ、ハンドヘルドコンピュータ、パームトップコンピュータ、パーソナルデジタルアシスト（ＰＤＡ）、携帯電話、携帯電話／ＰＤＡの組み合わせ、テレビ、スマートデバイス（例えば、スマートフォン、スマートタブレット又はスマートテレビ）、モバイルインターネットデバイス（ＭＩＤ）、メッセージングデバイス、データ通信デバイス等を含んでもよい。
【０１１９】
モバイルコンピューティングデバイスの例はまた、リストコンピュータ、フィンガーコンピュータ、リングコンピュータ、眼鏡コンピュータ、ベルトクリップコンピュータ、アームバンドコンピュータ、靴コンピュータ、衣類コンピュータ及び他のウェアラブルコンピュータのように、人によって着用されるように構成されたコンピュータを含んでよい。実施形態において、例えば、モバイルコンピューティングデバイスは、音声通信及び／又はデータ通信だけでなく、コンピュータアプリケーションを実行することが可能なスマートフォンとして実装されてよい。いくつかの実施形態は、例として、スマートフォンとして実装されたモバイルコンピューティングデバイスを用いて説明されるかもしれないが、他の実施形態が、他の無線モバイルコンピューティングデバイスを同様に用いて実施される可能性があることが理解され得る。実施形態は、この文脈に限定されない。
【０１２０】
図示されたように、デバイス５０００は、ディスプレイ５９８０、ナビゲーションコントローラ５９２０ａ、ユーザインタフェース５８８０、ハウジング５９０５、Ｉ／Ｏデバイス５９２０ｂ及びアンテナ５９９８を含んでよい。ディスプレイ５９８０は、モバイルコンピューティングデバイス用の適切な情報を表示する任意の適切なディスプレイユニットを含んでよく、かつ、図１４のディスプレイ４９８０と同じ又は同様のものであってよい。ナビゲーションコントローラ５９２０ａは、ユーザインタフェース５８８０と相互作用することに用いられ得る１又は複数のナビゲーション機能を含んでよく、かつ、図１４のナビゲーションコントローラ４９２０と同じ又は同様のものであってよい。Ｉ／Ｏデバイス５９２０ｂは、モバイルコンピューティングデバイスに情報を入力するための任意の適切なＩ／Ｏデバイスを含んでよい。Ｉ／Ｏデバイス５９２０ｂの例は、英数字キーボード、テンキー、タッチパッド、入力キー、ボタン、スイッチ、ロッカースイッチ、マイク、スピーカ、音声認識デバイス及びソフトウェア等を含んでよい。情報はまた、マイクを介してデバイス５０００に入力されてもよい。そのような情報は、音声認識デバイスによりデジタル化されてよい。実施形態は、この文脈に限定されない。
【０１２１】
より一般的に、本明細書で説明され及び図示されたコンピューティングデバイスの様々な要素は、様々なハードウェア要素、ソフトウェア要素又は両方の組み合わせを含んでよい。ハードウェア要素の例は、デバイス、論理デバイス、コンポーネント、プロセッサ、マイクロプロセッサ、回路、プロセッサコンポーネント、回路要素（例えば、トランジスタ、レジスタ、コンデンサ、インダクタ等）、集積回路、特定用途向け集積回路（ＡＳＩＣ）、プログラマブル論理デバイス（ＰＬＤ）、デジタル信号プロセッサ（ＤＳＰ）、フィールドプルグラマブルゲートアレイ（ＦＰＧＡ）、メモリユニット、ロジックゲート、レジスタ、半導体デバイス、チップ、マイクロチップ、チップセット等を含んでよい。ソフトウェア要素の例は、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーチン、サブルーチン、機能、方法、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、シンボル又はそれらの任意の組み合わせを含んでよい。しかしながら、実施形態がハードウェア要素及び／又はソフトウェア要素を用いて実装されるか否かを判断することは、所与の実装のために望まれるように、所望の計算レート、電力レベル、耐熱性、処理サイクル量、入力データレート、出力データレート、メモリリソース、データバス速度及び、他の設計又は性能制約のような任意の複数の要因によって変化し得る。
【０１２２】
いくつかの実施形態は、「一実施形態」又は「実施形態」という表現をそれらの派生語と共に用いて説明されてよい。これらの用語は、実施形態に関して説明した特定の機能、構造又は特性が少なくとも一実施形態に含まれることを意味する。本明細書の様々な個所における「一実施形態」という文言の出現は、必ずしも同じ実施形態を全て指すわけではない。さらに、いくつかの実施形態は、「結合され」及び「接続され」という表現をそれらの派生語と共に用いて説明されてよい。これらの用語は、必ずしも、互いの類義語として意図されたものではない。例えば、いくつかの実施形態は、２つ又はそれより多い要素が、互いに直接物理的又は電気的に接触していることを示すべく、「接続され」及び／又は「結合され」という用語を用いて説明されてよい。しかしながら、「結合され」という用語はまた、２つ又はそれより多い要素が互いに直接接触していないが、まだ依然として互いに協働又は相互作用することを意味してもよい。さらに、異なる実施形態からの態様又は要素が組み合わせられてよい。 
【０１２３】
本開示の要約は、読み手が技術的開示の本質を迅速に把握することを可能にするために提供されることが強調される。これは、特許請求の範囲の意味又は範囲を解釈又は限定するために用いられないという理解に従って提出される。加えて、上記の詳細な説明では、様々な機能が開示を効率的にする目的で単一の実施形態においてグループ化されていることが分かるであろう。本開示の方法は、クレームされた実施形態が各請求項に明示的に記載されたものより多くの機能を必要とする意図を反映するものとして解釈されるべきでない。むしろ、以下の特許請求の範囲が反映するように、本発明の主題は、単一の開示された実施形態の全ての機能よりも少ないことにある。これにより、以下の特許請求の範囲は、別個の実施形態としてそれ自体に依存する各請求項とともに、本明細書において詳細な説明に組み込まれる。添付の請求項において、「ｉｎｃｌｕｄｉｎｇ」及び「ｉｎ  ｗｈｉｃｈ」という用語は、それぞれ「ｃｏｍｐｒｉｓｉｎｇ」及び「ｗｈｅｒｅｉｎ」という各用語に相当する平易な英語として用いられる。さらに、「第１」、「第２」、「第３」、「等」という用語は、単にラベルとして用いられ、それらの対象に数値的な要求を課すことが意図されるものではない。
【０１２４】
上記で説明されたものは、開示されたアーキテクチャの例を含む。それは、当然ながら、コンポーネント及び／又は方法論のすべての考えられる組み合わせを説明することはできないが、当業者は、多くのさらなる組み合わせ及び変形が可能であると認識し得る。従って、新規なアーキテクチャは、添付の請求項の主旨及び範囲内に収まるそのような全ての変更、修正及び変形を含むことが意図される。詳細な開示は、ここでさらなる実施形態に関する例を提供することなる。以下で提供される例は、限定することを意図するものではない。
【０１２５】
いくつかの例において、ビデオフレームを圧縮するデバイスは、プロセッサコンポーネントと、圧縮された差分フレームとして一連のフレームのうちの現フレームを圧縮する、プロセッサコンポーネントによる実行のためのフレームバッファコンプレッサとを含んでよく、圧縮された差分フレームは、現フレームと一連のフレームのうちの先行する隣接フレームとの間の少なくとも１つの画素の画素カラーにおける差を示す差分フレームを含んでよい。
【０１２６】
追加的又は代替的に、フレームバッファコンプレッサは、先行するフレームに先行する前フレームの欠如に基づいて、先行するフレームを含む圧縮されたフルフレームとして先行する隣接フレームを圧縮してよい。
【０１２７】
追加的又は代替的に、フレームバッファコンプレッサは、先行する隣接フレームと、一連のフレームのうちの、先行する隣接フレームに先行するフレームとの間の少なくとも１つの画素の画素カラーにおける差を示す別の差分フレームを含む別の圧縮された差分フレームとして先行する隣接フレームを圧縮する。
【０１２８】
追加的又は代替的に、デバイスは、現フレーム及び先行する隣接フレームのうちの一方の画素のカラー値を、現フレーム及び及び先行する隣接フレームの他方の対応する画素のカラー値から減算して、差分フレームを導出するフレーム減算器を含んでよく、コンプレッサーは、差分フレームを圧縮して、圧縮された差分フレームを生成してよい。
【０１２９】
追加的又は代替的に、フレームバッファコンプレッサは、ハフマン符号化を採用し、差分フレームを圧縮して、圧縮された差分フレームを生成してよい。
【０１３０】
追加的又は代替的に、デバイスは、動画データのフレームを少なくとも部分的に解凍して一連のフレームを生成する、プロセッサコンポーネントによる実行のための動画デコンプレッサを含んでよい。
【０１３１】
追加的又は代替的に、動画デコンプレッサは、ＭＰＥＧ（Ｍｏｔｉｏｎ  Ｐｉｃｔｕｒｅ  Ｅｘｐｅｒｔｓ  Ｇｒｏｕｐ）のバージョンを採用して、動画データのフレームを少なくとも部分的に解凍してよい。
【０１３２】
追加的又は代替的に、差分フレームは、動きベクトルの指標を伴ってよく、フレームバッファコンプレッサは、動きベクトルの指標を圧縮してよい。
【０１３３】
追加的又は代替的に、デバイスは、ディスプレイ上に現フレームを視覚的に提示する表示装置と、表示装置に圧縮された差分フレームを伝達する、プロセッサコンポーネントによる実行のための取得コンポーネントとを含んでよい。
【０１３４】
追加的又は代替的に、表示装置は、別のプロセッサコンポーネントと、圧縮された差分フレームを解凍して現フレームを再構成する、別のプロセッサコンポーネントによる実行のためのディスプレイバッファデコンプレッサとを含んでよい。
【０１３５】
追加的又は代替的に、表示装置は、差分フレームの解凍の後に、差分フレームの画素のカラー値を最後に再構成されたフレームの画素のカラー値に追加して、現フレームを再構成するフレーム加算器を含んでよい。
【０１３６】
追加的又は代替的に、差分フレームは、動きベクトルの指標を伴ってよく、表示装置は、動き補償を実行して、差分フレーム及び動きベクトルの指標から現フレームを再構成する、別のプロセッサコンポーネントによる実行のための動き補償コンポーネントを含んでよい。
【０１３７】
追加的又は代替的に、デバイスは、ディスプレイを含んでよい。 
【０１３８】
いくつかの例において、ビデオフレームを視覚的に提示するデバイスは、プロセッサコンポーネントと、一連の圧縮されたフレームのうちの圧縮された差分フレームを解凍して、現フレームと先行する隣接フレームとの間の少なくとも１つの画素の画素カラーにおける差を示す差分フレームを生成し、現フレームの再構成を可能にする、プロセッサコンポーネントによる実行のためのディスプレイバッファデコンプレッサと、ディスプレイ上に現フレームを視覚的に提示する、プロセッサコンポーネントによる実行のためのプレゼンテーションコンポーネントとを含んでよい。
【０１３９】
追加的又は代替的に、ディスプレイバッファデコンプレッサは、ハフマン符号化を採用し、圧縮された差分フレームを解凍して差分フレームを生成してよい。
【０１４０】
追加的又は代替的に、デバイスは、差分フレームの画素のカラー値を最後に再構成されたフレームの画素のカラー値に追加して現フレームを再構成するフレーム加算器を含んでよい。
【０１４１】
追加的又は代替的に、差分フレームは、動きベクトルの指標を伴ってよく、表示装置は、動き補償を実行して、差分フレーム及び動きベクトルの指標から現フレームを再構成する、プロセッサコンポーネントによる実行のための動き補償コンポーネントを含んでよい。
【０１４２】
追加的又は代替的に、ディスプレイバッファデコンプレッサは、一連の圧縮されたフレームのうちの圧縮されたフルフレームを解凍して、別のフレームを参照することなく画素のカラー値を示すフルフレームを生成し、プレゼンテーションコンポーネントは、フルフレームに先行する前フレームの欠如に基づいて、ディスプレイ上にフルフレームを視覚的に提示する。
【０１４３】
追加的又は代替的に、デバイスは、コンピューティングデバイスから一連の圧縮されたフレームを受信するインタフェースを含んでよい。
【０１４４】
追加的又は代替的に、デバイスは、ディスプレイを含んでよい。 
【０１４５】
いくつかの例において、ビデオフレームを圧縮するためのコンピュータに実装される方法は、差分フレームを圧縮することにより一連のフレームのうちの現フレームを圧縮して、圧縮された差分フレームを生成する段階と、現フレームと一連のフレームのうちの先行する隣接フレームとのうちの一方の画素のカラー値を、現フレーム及び先行する隣接フレームのうちの他方の対応する画素のカラー値から減算して差分フレームを導出する段階とを含んでよい。
【０１４６】
追加的又は代替的に、方法は、先行するフレームに先行する前フレームの欠如に基づいて先行するフレームを含む圧縮されたフルフレームとして先行する隣接フレームを圧縮する段階を含んでよい。
【０１４７】
追加的又は代替的に、方法は、別の差分フレームを圧縮することにより先行する隣接フレームを圧縮する段階と、一連のフレームのうちの、先行する隣接フレームに先行するフレームから、先行する隣接フレームの画素のカラー値を減算して別の差分フレームを導出する段階とを含んでよい。
【０１４８】
追加的又は代替的に、方法は、ハフマン符号化を採用し、差分フレームを圧縮して、圧縮された差分フレームを生成する段階を含んでよい。
【０１４９】
追加的又は代替的に、方法は、ＭＰＥＧ（Ｍｏｔｉｏｎ  Ｐｉｃｔｕｒｅ  Ｅｘｐｅｒｔｓ  Ｇｒｏｕｐ）のバージョンを採用し、動画データのフレームを少なくとも部分的に解凍して、一連のフレームを生成する段階を含んでよい。
【０１５０】
追加的又は代替的に、差分フレームは、動きベクトルの指標を伴ってよく、方法は、動きベクトルの指標を圧縮する段階を含んでよい。
【０１５１】
追加的又は代替的に、方法は、表示装置がディスプレイ上に現フレームを視覚的に提示することを可能にするべく、圧縮された差分フレームを表示装置に伝達する段階を含んでよい。
【０１５２】
追加的又は代替的に、方法は、圧縮された差分フレームを表示装置で解凍して現フレームを再構成する段階を含んでよい。
【０１５３】
追加的又は代替的に、方法は、差分フレームの解凍の後に、差分フレームの画素のカラー値を最後に再構成されたフレームの画素のカラー値に追加して現フレームを再構成する段階を含んでよい。
【０１５４】
追加的又は代替的に、差分フレームは、動きベクトルの指標を伴ってよく、方法は、表示装置で動き補償を実行して、差分フレーム及び動きベクトルの指標から現フレームを再構成する段階を含んでよい。
【０１５５】
いくつかの例において、少なくとも１つの機械可読記憶媒体は、コンピューティングデバイスにより実行されるときに、コンピューティングデバイスに、差分フレームを圧縮することにより一連のフレームのうちの現フレームを圧縮して、圧縮された差分フレームを生成する手順と、現フレーム及び一連のフレームのうちの先行する隣接フレームのうちの一方の画素のカラー値を、現フレーム及び先行する隣接フレームのうちの他方の対応する画素のカラー値から減算して差分フレームを導出する手順と実行させるための命令を含んでよい。
【０１５６】
追加的又は代替的に、コンピューティングデバイスに、先行するフレームに先行する前フレームの欠如に基づいて、先行するフレームを含む圧縮されたフルフレームとして先行する隣接フレームを圧縮する手順を実行させてよい。
【０１５７】
追加的又は代替的に、コンピューティングデバイスに、別の差分フレームを圧縮することにより先行する隣接フレームを圧縮する手順と、一連のフレームのうちの、先行する隣接フレームに先行するフレームから先行する隣接フレームの画素のカラー値を減算して別の差分フレームを導出する手順とを実行させてよい。
【０１５８】
追加的又は代替的に、コンピューティングデバイスに、ハフマン符号化を採用し、差分フレームを圧縮して、圧縮された差分フレームを生成する手順を実行させてよい。
【０１５９】
追加的又は代替的に、コンピューティングデバイスに、ＭＰＥＧ（Ｍｏｔｉｏｎ  Ｐｉｃｔｕｒｅ  Ｅｘｐｅｒｔｓ  Ｇｒｏｕｐ）のバージョンを採用し、動画データのフレームを少なくとも部分的に解凍して、一連のフレームを生成する手順を実行させてよい。
【０１６０】
追加的又は代替的に、差分フレームは、動きベクトルの指標を伴ってよく、動きベクトルの指標を圧縮する手順をコンピューティングデバイスに実行させてよい。
【０１６１】
追加的又は代替的に、コンピューティングデバイスに、表示装置がディスプレイに現フレームを視覚的に提示することを可能にするべく、表示装置に圧縮された差分フレームを伝達する手順を実行させてよい。
【０１６２】
追加的又は代替的に、コンピューティングデバイスに、表示装置で圧縮された差分フレームを解凍して現フレームを再構成する手順を実行させてよい。
【０１６３】
追加的又は代替的に、コンピューティングデバイスに、差分フレームの解凍の後に差分フレームの画素のカラー値を最後に再構成されたフレームの画素のカラー値に追加して現フレームを再構成する手順を実行させてよい。
【０１６４】
追加的又は代替的に、差分フレームは、動きベクトルの指標を伴ってよく、コンピューティングデバイスに、表示装置で動き補償を実行して差分フレーム及び動きベクトルの指標から現フレームを再構成する手順を実行させてよい。
【０１６５】
いくつかの例において、ビデオフレームを視覚的に提示するためのコンピュータに実装される方法は、一連の圧縮されたフレームのうちの圧縮された差分フレームを解凍して、現フレーム及び先行する隣接フレームの間の少なくとも１つの画素の画素カラーにおける差を示す差分フレームを生成し、現フレームの再構成を可能にする段階と、ディスプレイ上に現フレームを視覚的に提示する段階とを含んでよい。
【０１６６】
追加的又は代替的に、方法は、ハフマン符号化を採用し、圧縮された差分フレームを解凍して、差分フレームを生成する段階を含んでよい。
【０１６７】
追加的又は代替的に、方法は、最後に再構成されたフレームの画素のカラー値に差分フレームの画素のカラー値を追加して、現フレームを再構成する段階を含んでよい。
【０１６８】
追加的又は代替的に、差分フレームは、動きベクトルの指標を伴ってよく、方法は、動き補償を実行して、差分フレーム及び動きベクトルの指標から現フレームを再構成する段階を含んでよい。
【０１６９】
追加的又は代替的に、方法は、一連の圧縮されたフレームのうちの圧縮されたフルフレームを解凍して、別のフレームを参照することなく画素のカラー値を示すフルフレームを生成する段階と、フルフレームに先行する前フレームの欠如に基づいて、ディスプレイ上にフルフレームを視覚的に提示する段階とを含んでよい。
【０１７０】
追加的又は代替的に、方法は、コンピューティングデバイスから一連の圧縮されたフレームを受信する段階を含んでよい。
【０１７１】
いくつかの例において、少なくとも１つの機械可読記憶媒体は、コンピューティングデバイスにより実行されるときに、コンピューティングデバイスに、一連の圧縮されたフレームのうちの圧縮された差分フレームを解凍して、現フレーム及び先行する隣接フレームの間の少なくとも１つの画素の画素カラーにおける差を示す差分フレームを生成し、現フレームの再構成を可能にする手順と、ディスプレイ上に現フレームを視覚的に提示する手順とを実行させるための命令を含んでよい。
【０１７２】
追加的又は代替的に、コンピューティングデバイスに、ハフマン符号化を採用し、圧縮された差分フレームを解凍して、差分フレームを生成する手順を実行させてよい。
【０１７３】
追加的又は代替的に、コンピューティングデバイスに、最後に再構成されたフレームの画素のカラー値に差分フレームの画素のカラー値を追加して現フレームを再構成する手順を実行させてよい。
【０１７４】
追加的又は代替的に、差分フレームは、動きベクトルの指標を伴ってよく、動き補償を実行して、差分フレーム及び動きベクトルの指標から現フレームを再構成する手順をコンピューティングデバイスに実行させてよい。
【０１７５】
追加的又は代替的に、コンピューティングデバイスに、一連の圧縮されたフレームのうちの圧縮されたフルフレームを解凍して、別のフレームを参照することなく画素のカラー値を示すフルフレームを生成する手順と、フルフレームに先行する前フレームの欠如に基づいて、ディスプレイ上にフルフレームを視覚的に提示する手順とを実行させてよい。
【０１７６】
追加的又は代替的に、コンピューティングデバイスに、コンピューティングデバイスから一連の圧縮されたフレームを受信する手順を実行させてよい。
【０１７７】
いくつかの実施形態において、少なくとも１つの機械可読記憶媒体は、コンピューティングデバイスにより実行されるときに、コンピューティングデバイスに、上記のいずれかを実行させるための命令を含んでよい。
【０１７８】
いくつかの実施形態において、ビデオフレームを圧縮及び／又は視覚的に提示するデバイスは、上記のいずれかを実行する手段を含んでよい。
【図１】
2016531502.tif 000003
【図２】
2016531502.tif 000004
【図３】
2016531502.tif 000005
【図４】
2016531502.tif 000006
【図５】
2016531502.tif 000007
【図６】
2016531502.tif 000008
【図７】
2016531502.tif 000009
【図８】
2016531502.tif 000010
【図９】
2016531502.tif 000011
【図１０】
2016531502.tif 000012
【図１１】
2016531502.tif 000013
【図１２】
2016531502.tif 000014
【図１３】
2016531502.tif 000015
【図１４】
2016531502.tif 000016
【図１５】
2016531502.tif 000017
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
複数のビデオフレームを圧縮するデバイスであって、
プロセッサコンポーネントと、
前記プロセッサコンポーネントに通信可能に結合されるストレージと、
一連のフレームのうちの現フレームを圧縮された差分フレームとして圧縮して、前記圧縮された差分フレームを前記ストレージに格納する、前記プロセッサコンポーネントによる実行のためのフレームバッファコンプレッサと
を備え、
前記圧縮された差分フレームは、前記現フレームと、前記一連のフレームのうちの先行する隣接フレームとの間の少なくとも１つの画素の画素カラーにおける差を示す差分フレームを有する、デバイス。
【請求項２】
前記フレームバッファコンプレッサは、前記先行する隣接フレームに先行する前フレームの欠如に基づいて、前記先行する隣接フレームを有する圧縮されたフルフレームとして前記先行する隣接フレームを圧縮し、前記圧縮されたフルフレームを前記ストレージに格納する、請求項１に記載のデバイス。
【請求項３】
前記フレームバッファコンプレッサは、前記先行する隣接フレームと、前記一連のフレームのうち、前記先行する隣接フレームに先行するフレームとの間の少なくとも１つの画素の画素カラーにおける差を示す別の差分フレームを有する別の圧縮された差分フレームとして、前記先行する隣接フレームを圧縮する、請求項１に記載のデバイス。
【請求項４】
前記現フレーム及び前記先行する隣接フレームのうちの一方の複数の画素のカラー値を、前記現フレーム及び前記先行する隣接フレームのうちの他方の対応する複数の画素のカラー値から減算して、前記差分フレームを導出するフレーム減算器を備え、
前記フレームバッファコンプレッサは、前記差分フレームを圧縮して、前記圧縮された差分フレームを生成する、請求項１から３のいずれか一項に記載のデバイス。
【請求項５】
動画データの複数のフレームを少なくとも部分的に解凍して、前記一連のフレームを生成する、前記プロセッサコンポーネントによる実行のための動画デコンプレッサを備える、請求項１から４のいずれか一項に記載のデバイス。
【請求項６】
ディスプレイ上に前記現フレームを視覚的に提示する表示装置と、
前記ストレージから前記圧縮された差分フレームを取得し、前記圧縮された差分フレームを前記表示装置に伝達する、前記プロセッサコンポーネントによる実行のための取得コンポーネントと
を備える、請求項１から５のいずれか一項に記載のデバイス。
【請求項７】
前記表示装置は、
別のプロセッサコンポーネントと、
前記圧縮された差分フレームを解凍し、前記現フレームを再構成する、前記別のプロセッサコンポーネントによる実行のためのディスプレイバッファデコンプレッサと
を備える、請求項６に記載のデバイス。
【請求項８】
前記差分フレームは、動きベクトルの指標を伴い、
前記表示装置は、動き補償を実行し、前記差分フレーム及び前記動きベクトルの前記指標から前記現フレームを再構成する、前記別のプロセッサコンポーネントによる実行のための動き補償コンポーネントを有する、請求項７に記載のデバイス。
【請求項９】
前記ディスプレイを備える、請求項６又は７に記載のデバイス。
【請求項１０】
複数のビデオフレームを視覚的に提示するデバイスであって、
プロセッサコンポーネントと、
前記プロセッサコンポーネントに通信可能に結合されるストレージと、
一連の圧縮されたフレームのうちの圧縮された差分フレームを前記ストレージから取得し、前記圧縮された差分フレームを解凍して、現フレームと、先行する隣接フレームとの間の少なくとも１つの画素の画素カラーにおける差を示す差分フレームを生成し、前記現フレームの再構成を可能とする、前記プロセッサコンポーネントによる実行のためのディスプレイバッファデコンプレッサと、
ディスプレイ上に前記現フレームを視覚的に提示する、前記プロセッサコンポーネントによる実行のためのプレゼンテーションコンポーネントと
を備える、デバイス。
【請求項１１】
前記差分フレームは、動きベクトルの指標を伴っており、
表示装置は、動き補償を実行して、前記差分フレーム及び前記動きベクトルの前記指標から前記現フレームを再構成する、前記プロセッサコンポーネントによる実行のための動き補償コンポーネントを有する、請求項１０に記載のデバイス。
【請求項１２】
前記ディスプレイバッファデコンプレッサは、前記一連の圧縮されたフレームのうちの圧縮されたフルフレームを前記ストレージから取得し、前記圧縮されたフルフレームを解凍して、別のフレームを参照することなく、複数の画素のカラー値を示すフルフレームを生成し、
前記プレゼンテーションコンポーネントは、前記フルフレームに先行する前フレームの欠如に基づいて、前記ディスプレイ上に前記フルフレームを視覚的に提示する、請求項１０に記載のデバイス。
【請求項１３】
コンピューティングデバイスから前記一連の圧縮されたフレームを受信するインタフェースと、
前記一連の圧縮されたフレームを前記ストレージに格納する通信コンポーネントと
を備える、請求項１０から１２のいずれか一項に記載のデバイス。
【請求項１４】
前記ディスプレイを備える、請求項１０から１３のいずれか一項に記載のデバイス。
【請求項１５】
複数のビデオフレームを圧縮するためのコンピュータに実装される方法であって、
差分フレームを圧縮することにより一連のフレームのうちの現フレームを圧縮して、圧縮された差分フレームを生成する段階と、
前記現フレームと、前記一連のフレームのうちの先行する隣接フレームとのうちの一方の画素のカラー値を、前記現フレーム及び前記先行する隣接フレームのうちの他方の対応する画素のカラー値から減算して、前記差分フレームを導出する段階と、
前記圧縮された差分フレームを圧縮されたフレームバッファに格納する段階と
を備える、コンピュータに実装される方法。
【請求項１６】
前記先行するフレームに先行する前フレームの欠如に基づいて、前記先行するフレームを含む圧縮されたフルフレームとして前記先行する隣接フレームを圧縮する段階と、
前記圧縮されたフルフレームを前記圧縮されたフレームバッファに格納する段階と
を備える、請求項１５に記載のコンピュータに実装される方法。
【請求項１７】
別の差分フレームを圧縮することにより、前記先行する隣接フレームを圧縮する段階と、
前記先行する隣接フレームの画素のカラー値を、前記一連のフレームのうちの前記先行する隣接フレームに先行するフレームから減算して、前記別の差分フレームを導出する段階と
を備える、請求項１５に記載のコンピュータに実装される方法。
【請求項１８】
ハフマン符号化（Ｈｕｆｆｍａｎ  ｃｏｄｉｎｇ）を使用して、前記差分フレームを圧縮し、前記圧縮された差分フレームを生成する段階を備える、請求項１５から１７のいずれか一項に記載のコンピュータに実装される方法。
【請求項１９】
ＭＰＥＧ（Ｍｏｔｉｏｎ  Ｐｉｃｔｕｒｅ  Ｅｘｐｅｒｔｓ  Ｇｒｏｕｐ）のバージョンを使用して、動画データの複数のフレームを少なくとも部分的に解凍し、前記一連のフレームを生成する段階を備える、請求項１５から１８のいずれか一項に記載のコンピュータに実装される方法。
【請求項２０】
前記差分フレームは、動きベクトルの指標を伴い、
前記方法は、前記動きベクトルの前記指標を圧縮する段階を備える、請求項１９に記載のコンピュータに実装される方法。
【請求項２１】
前記圧縮されたフレームバッファから前記圧縮された差分フレームを取得する段階と、
表示装置がディスプレイ上に前記現フレームを視覚的に提示することを可能にするべく、前記圧縮された差分フレームを前記表示装置に伝達する段階と
を備える、請求項１５から２０のいずれか一項に記載のコンピュータに実装される方法。
【請求項２２】
前記表示装置で前記圧縮された差分フレームを解凍して、前記現フレームを再構成する段階を備える、請求項２１に記載のコンピュータに実装される方法。
【請求項２３】
前記差分フレームの解凍の後に、前記差分フレームの画素のカラー値を、最後に再構成されたフレームの画素のカラー値に追加して、前記現フレームを再構成する段階を備える、請求項２２に記載のコンピュータに実装される方法。
【請求項２４】
前記差分フレームは、動きベクトルの指標を伴い、
前記方法は、前記表示装置で動き補償を実行して、前記差分フレーム及びの前記動きベクトルの前記指標から前記現フレームを再構成する段階を備える、請求項２２又は２３に記載のコンピュータに実装される方法。
【請求項２５】
コンピュータに、請求項１５から２４のいずれか一項に記載の方法を実行させるためのプログラム。
【請求項２６】
請求項２５に記載のプログラムを格納するコンピュータ可読記録媒体。
【国際調査報告】
2016531502.tif 000018
2016531502.tif 000019